(57)【要約】      （修正有）【課題】負荷電流パルスおよび電磁干渉を減少させる電流制御および駆動回路を提供する。【解決手段】電流制御および駆動回路は、等価インピーダンス１１００、主負荷１１０１、誘導性分圧抵抗素子１１０２、直流電子制御ユニット１１０３、電圧測定装置１１０４、電流測定装置１１０５、フライホイールダイオード１１０６、および隔離ダイオード１１０７を備える。電圧測定装置１１０４により測定した電圧及び／または電流測定装置１１０５によって測定した電流が予定値より低いとき、電気エネルギー制御装置１１０３を稼動することにより、主負荷１１０１を通過する電流を増加させる。電圧測定装置１１０４により測定した電圧及び／または電流測定装置１１０５によって測定した電流が予定値より高いとき、電気エネルギー制御装置１１０３を制御することにより、主負荷を通過する電流を減少させる。【選択図】図１１
0003168200.tif 000002
【実用新案登録請求の範囲】
【請求項１】
等価インピーダンス（１００）、主負荷（１０１）、分圧負荷（１０２）、電気エネルギー制御装置（１０３）、電圧測定装置（１０４）、および電流測定装置（１０５）を備える電流制御および駆動回路であって、
前記電圧測定装置（１０４）は、電気機械式及び／または固相電子式素子により構成される電圧測定装置であり、電源電圧、前記主負荷（１０１）両端の電圧、前記電気エネルギー制御装置（１０３）両端の電圧、および前記主負荷（１０１）と前記電気エネルギー制御装置（１０３）とを直列に接続する総負荷の両端の電圧のいずれかを測定し、
前記電圧測定装置（１０４）により測定した電圧が予定値より低いとき、前記電気エネルギー制御装置（１０３）は、分流制御を行い、前記主負荷（１０１）を通過する電流を増加させ、
前記電圧測定装置（１０４）により測定した電圧が予定値より高いとき、前記電気エネルギー制御装置（１０３）は、分流制御を行い、前記主負荷（１０１）を通過する電流を減少させ、
前記電流測定装置（１０５）は、電気機械式及び／または固相電子式素子により構成される電流測定装置であり、前記主負荷（１０１）、前記分圧負荷（１０２）、および前記電気エネルギー制御装置（１０３）の中のワンウェイまたはワンウェイ以上を通過する電流値を測定し、
前記電流測定装置（１０５）によって測定した電流が予定値より低いとき、前記電気エネルギー制御装置（１０３）は、分流制御を行い、前記主負荷（１０１）を通過する電流を増加させ、
前記電流測定装置（１０５）によって測定した電流が予定値より高いとき、前記電気エネルギー制御装置（１０３）は、分流制御を行い、前記主負荷（１０１）を通過する電流を減少させることを特徴とする電流制御および駆動回路。
【請求項２】
前記主負荷（１０１）と前記分圧負荷（１０２）とを直列に接続し、前記分圧負荷（１０２）に対して分流し、または人力により分流操作をし、または外部から信号を入力することにより分流制御し、または前記電圧測定装置（１０４）及び／または前記電流測定装置（１０５）の測定した信号を前記電気エネルギー制御装置（１０３）へフィードバックし、前記電気エネルギー制御装置（１０３）を前記分圧負荷（１０２）に並列に接続することにより、分流制御を行う電流制御および駆動回路であって、
前記等価インピーダンス（１００）は、前記主負荷（１０１）と直列に接続され、誘導性インピーダンスを持つインダクタやコイルにより構成され、またはキャパシタを持つインダクタやコイルを並列に接続し、通過するリップル電流周波数が並列共振状態である抵抗装置により構成され、上述装置を通して、等価インピーダンス（１００）を通過する電流のリップル値を下げ、
前記主負荷（１０１）は、交流、直流、またはパルスＤＣ電源により駆動される主負荷であり、電気エネルギーを光エネルギーに変換する主負荷、電気エネルギーを熱エネルギーに変換する主負荷、電気エネルギーを機械エネルギーに変換する主負荷、電気エネルギーを化学エネルギーに変換する主負荷、電気エネルギーをサウンドエネルギーに変換する主負荷のいずれか一つ以上であり、
前記分圧負荷（１０２）は、交流、直流、またはパルスＤＣ電源により駆動され、前記主負荷（１０１）と同じまたは異なる性質の分圧負荷であり、電気エネルギーを光エネルギーに変換する分圧負荷、電気エネルギーを熱エネルギーに変換する分圧負荷、電気エネルギーを機械エネルギーに変換する分圧負荷、電気エネルギーを化学エネルギーに変換する分圧負荷、電気エネルギーをサウンドエネルギーに変換する分圧負荷のいずれか一つ以上であり、前記主負荷（１０１）と直列に接続され、前記電気エネルギー制御装置（１０３）と並列に接続され、電気エネルギーに駆動され、
前記電気エネルギー制御装置（１０３）は、前記分圧負荷（１０２）を通過する電流を受け、分流制御を行い、
前記電気エネルギー制御装置（１０３）は、電気機械式オン／オフ装置、固相半導体式オン／オフ装置、または固相半導体式線形抵抗変換器により構成され、
直流電源を用いて遮断制御を行うとき、前記電気エネルギー制御装置（１０３）を稼動して変動する遮断周波数の分流制御、遮断導通時間比のＰＷＭの分流制御、または同時に変動する遮断周波数及び遮断導通時間比のＰＷＭの分流制御を行い、
二方向に周期的に交流の極性反転電源を用いるとき、前記電気エネルギー制御装置（１０３）を制御して導通位相角の分流制御を行い、
直流電源または二方向に周期的に交流の極性反転電源を用いるとき、前記電気エネルギー制御装置（１０３）を制御してオン／オフ式導通または遮断する分流制御、または前記電気エネルギー制御装置（１０３）の線形抵抗値の制御を通して、前記電気エネルギー制御装置（１０３）が前記分圧負荷（１０２）を通過する電流の分流制御を行い、
前記電気エネルギー制御装置（１０３）が分流制御する方式は、
（１）前記電圧測定装置（１０４）の設置を通して制御し、
（２）前記電流測定装置（１０５）の設置を通して制御し、
（３）前記電圧測定装置（１０４）及び前記電流測定装置（１０５）の設置を通して制御し、
（４）回路を通して前記分圧負荷（１０２）に対して固定された分流制御を行い、
（５）人力によりインタフェース装置を操作し、前記分圧負荷（１０２）の分流制御を行い、
（６）外部から信号を入力し、前記分圧負荷（１０２）の分流制御を行い、
いずれか一つ以上であることを特徴とする請求項１に記載の電流制御および駆動回路。
【請求項３】
直流電源の回路へ応用され、等価インピーダンス（２００）、直流主負荷（２０１）、直流分圧負荷（２０２）、直流電子制御ユニット（２０３）、直流電圧測定装置（２０４）、および直流電流測定装置（２０５）を備える電流制御および駆動回路であって、
前記等価インピーダンス（２００）は、前記直流主負荷（２０１）と直列に接続され、誘導性インピーダンスを持つインダクタやコイルにより構成され、またはキャパシタを持つインダクタやコイルを並列に接続し、通過するリップル電流周波数が並列共振状態である抵抗装置により構成され、上述装置を通して、等価インピーダンス（２００）を通過する電流のリップル値を下げ、
前記直流主負荷（２０１）は、直流またはパルスＤＣ電源により駆動される主負荷であり、直流電源を光エネルギーに変換する主負荷、直流電源を熱エネルギーに変換する主負荷、直流電源を機械エネルギーに変換する主負荷、直流電源を化学エネルギーに変換する主負荷、直流電源をサウンドエネルギーに変換する主負荷のいずれか一つ以上であり、
前記直流分圧負荷（２０２）は、直流またはパルスＤＣ電源により駆動され、前記直流主負荷（２０１）と同じまたは異なる性質の分圧負荷であり、直流電源を光エネルギーに変換する分圧負荷、直流電源を熱エネルギーに変換する分圧負荷、直流電源を機械エネルギーに変換する分圧負荷、直流電源を化学エネルギーに変換する分圧負荷、直流電源をサウンドエネルギーに変換する分圧負荷のいずれか一つ以上であり、前記直流主負荷（２０１）と直列に接続され、前記直流電子制御ユニット（２０３）と並列に接続され、直流電源に駆動され、
前記直流電子制御ユニット（２０３）は、前記直流分圧負荷（２０２）を通過する電流を受け、分流制御を行い、
前記直流電子制御ユニット（２０３）は、電気機械式オン／オフ装置、固相半導体式オン／オフ装置、または固相半導体式線形抵抗変換器により構成され、
直流電源を用いて遮断制御を行うとき、前記直流電子制御ユニット（２０３）を稼動して変動する遮断周波数の分流制御、遮断導通時間比のＰＷＭの分流制御、同時に変動する遮断周波数及び遮断導通時間比のＰＷＭの分流制御、前記直流電子制御ユニット（２０３）のオン／オフ式導通または遮断する分流制御、または前記直流電子制御ユニット（２０３）の線形抵抗値を制御することにより、前記直流分圧負荷（２０２）を通過する電流の分流制御を行い、
前記直流電子制御ユニット（２０３）が分流制御する方式は、
（１）前記直流電圧測定装置（２０４）の設置を通して制御し、
（２）前記直流電流測定装置（２０５）の設置を通して制御し、
（３）前記直流電圧測定装置（２０４）及び前記直流電流測定装置（２０５）の設置を通して制御し、
（４）回路を通して分圧負荷に対して固定された分流制御を行い、
（５）人力によりインタフェース装置を操作し、分圧負荷の分流制御を行い、
（６）外部から信号を入力し、分圧負荷の分流制御を行い、
いずれか一つ以上であり、
前記直流電圧測定装置（２０４）は、電気機械式及び／または固相電子式素子により構成される直流電圧測定装置であり、直流電源電圧、前記直流主負荷（２０１）両端の電圧、前記直流電子制御ユニット（２０３）両端の電圧、および前記直流主負荷（２０１）と前記直流電子制御ユニット（２０３）とを直列に接続する総負荷の両端の電圧値のいずれかを測定し、
前記直流電圧測定装置（２０４）により測定した電圧が予定値より低いとき、前記直流電子制御ユニット（２０３）は、分流制御を行い、前記直流主負荷（２０１）を通過する電流を増加させ、
前記直流電圧測定装置（２０４）により測定した電圧が予定値より高いとき、前記直流電子制御ユニット（２０３）は、分流制御を行い、前記直流主負荷（２０１）を通過する電流を減少させ、
前記直流電流測定装置（２０５）は、電気機械式及び／または固相電子式素子により構成される直流電流測定装置であり、前記直流主負荷（２０１）、前記直流分圧負荷（２０２）、および前記直流電子制御ユニット（２０３）の中のワンウェイまたはワンウェイ以上を通過する電流値を測定し、
前記直流電流測定装置（２０５）によって測定した電流が予定値より低いとき、前記直流電子制御ユニット（２０３）は、分流制御を行い、前記直流主負荷（２０１）を通過する電流を増加させ、
前記直流電流測定装置（２０５）によって測定した電流が予定値より高いとき、前記直流電子制御ユニット（２０３）は、分流制御を行い、前記直流主負荷（２０１）を通過する電流を減少させることを特徴とする請求項２に記載の電流制御および駆動回路。
【請求項４】
交流電源の回路へ応用され、等価インピーダンス（３００）、交流主負荷（３０１）、交流分圧負荷（３０２）、交流電子制御ユニット（３０３）、交流電圧測定装置（３０４）、および交流電流測定装置（３０５）を備える電流制御および駆動回路であって、
前記等価インピーダンス（３００）は、前記交流主負荷（３０１）と直列に接続され、誘導性インピーダンスを持つインダクタやコイルにより構成され、またはキャパシタを持つインダクタやコイルを並列接続し、及び通過するリップル電流周波数が並列共振状態である抵抗装置により構成され、上述装置を通して、等価インピーダンス（３００）を通過する電流のリップル値を下げ、
前記交流主負荷（３０１）は、交流電源により駆動される主負荷であり、交流電源を光エネルギーに変換する主負荷、交流電源を熱エネルギーに変換する主負荷、交流電源を機械エネルギーに変換する主負荷、交流電源を化学エネルギーに変換する主負荷、交流電源をサウンドエネルギーに変換する主負荷のいずれか一つ以上であり、
前記交流分圧負荷（３０２）は、交流電源により駆動され、前記交流主負荷（３０１）と同じまたは異なる性質の分圧負荷であり、交流電源を光エネルギーに変換する分圧負荷、交流電源を熱エネルギーに変換する分圧負荷、交流電源を機械エネルギーに変換する分圧負荷、交流電源を化学エネルギーに変換する分圧負荷、交流電源をサウンドエネルギーに変換する分圧負荷のいずれか一つ以上であり、前記交流主負荷（３０１）と直列に接続され、前記交流電子制御ユニット（３０３）と並列に接続され、交流電源に駆動され、
前記交流電子制御ユニット（３０３）は、前記交流分圧負荷（３０２）を通過する電流を受け、分流制御を行い、
前記交流電子制御ユニット（３０３）は、電気機械式オン／オフ装置、固相半導体式オン／オフ装置、または固相半導体式線形抵抗変換器により構成され、
前記交流電子制御ユニット（３０３）の制御を通して、導通位相角の分流制御、前記交流電子制御ユニット（３０３）のオン／オフ式導通または遮断する分流制御、または前記交流電子制御ユニット（３０３）の線形抵抗値を制御することにより、前記交流電子制御ユニット（３０３）は前記交流分圧負荷（３０２）の電流の分流制御を行い、
前記交流電子制御ユニット（３０３）が分流制御する方式は、
（１）前記交流電圧測定装置（３０４）の設置を通して制御し、
（２）前記交流電流測定装置（３０５）の設置を通して制御し、
（３）前記交流電圧測定装置（３０４）及び前記交流電流測定装置（３０５）の設置を通して制御し、
（４）回路を通して分圧負荷に対して固定された分流制御を行い、
（５）人力によりインタフェース装置を操作し、分圧負荷の分流制御を行い、
（６）外部から信号を入力し、分圧負荷の分流制御を行い、
いずれか一つ以上であり、
前記交流電圧測定装置（３０４）は、電気機械式及び／または固相電子式素子により構成される交流電圧測定装置であり、交流電源電圧、前記交流主負荷（３０１）両端の電圧、前記交流電子制御ユニット（３０３）両端の電圧、および前記交流主負荷（３０１）と前記交流電子制御ユニット（３０３）とを直列に接続する総負荷の両端の電圧値のいずれかを測定し、
前記交流電圧測定装置（３０４）により測定した電圧が予定値より低いとき、前記交流電子制御ユニット（３０３）は、分流制御を行い、前記交流主負荷（３０１）を通過する電流を増加させ、
前記交流電圧測定装置（３０４）により測定した電圧が予定値より高いとき、前記交流電子制御ユニット（３０３）は、分流制御を行い、前記交流主負荷（３０１）を通過する電流を減少させ、
前記交流電流測定装置（３０５）は、電気機械式及び／または固相電子式素子により構成される交流電流測定装置であり、前記交流主負荷（３０１）、前記交流分圧負荷（３０２）、および前記交流電子制御ユニット（３０３）の中のワンウェイまたはワンウェイ以上を通過する電流値を測定し、
前記交流電流測定装置（３０５）によって測定した電流が予定値より低いとき、前記交流電子制御ユニット（３０３）は、分流制御を行い、前記交流主負荷（３０１）を通過する電流を増加させ、
る。または交流電流測定装置（３０５）によって測定した電流が予定値より高いとき、前記交流電子制御ユニット（３０３）は、分流制御を行い、前記交流主負荷（３０１）の電流を減少させることを特徴とする請求項２に記載の電流制御および駆動回路。
【請求項５】
等価インピーダンス（４００）、直流電源により駆動される主発光ダイオード（ＬＥＤ）（４０１）、直流電源により駆動される分圧発光ダイオード（ＬＥＤ）（４０２）、直流電子制御ユニット（４０３）、電圧測定装置（４０４）、および電流測定装置（４０５）を備える電流制御および駆動回路であって、
前記等価インピーダンス（４００）は、前記主発光ダイオード（ＬＥＤ）（４０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成され、上述装置を通して、等価インピーダンス（４００）を通過する電流のリップル値を下げ、
前記主発光ダイオード（ＬＥＤ）（４０１）は、一個以上の発光ダイオード（ＬＥＤ）を直列に接続、並列に接続または直並列に接続することにより構成され、直流電源またはパルスＤＣ電源の駆動を受け、
前記分圧発光ダイオード（ＬＥＤ）（４０２）は、一個以上の発光ダイオード（ＬＥＤ）を直列に接続、並列に接続または直並列に接続することにより構成され、前記主発光ダイオード（ＬＥＤ）（４０１）と直列に接続され、前記直流電子制御ユニット（４０３）と並列に接続され、直流電源またはパルス直流電源に駆動され、
前記直流電子制御ユニット（４０３）は、前記分圧発光ダイオード（ＬＥＤ）（４０２）を通過する電流を受け、分流制御を行い、
前記直流電子制御ユニット（４０３）は、電気機械式オン／オフ装置、固相半導体式オン／オフ装置、または固相半導体式線形抵抗変換器により構成され、前記分圧発光ダイオード（ＬＥＤ）（４０２）の両端に並列に接続され、
直流電源を用いて遮断制御を行うとき、前記直流電子制御ユニット（４０３）を稼動して変動する遮断周波数の分流制御、遮断導通時間比のＰＷＭの分流制御、同時に変動する遮断周波数及び遮断導通時間比のＰＷＭの分流制御、前記直流電子制御ユニット（４０３）のオン／オフ式導通または遮断する分流制御、または前記直流電子制御ユニット（４０３）の線形抵抗値を制御することにより、前記直流電子制御ユニット（４０３）は前記分圧発光ダイオード（ＬＥＤ）（４０２）の電流の分流制御を行い、
前記直流電子制御ユニット（４０３）が分流制御する方式は、
（１）前記電圧測定装置（４０４）の設置を通して制御し、
（２）前記電流測定装置（４０５）の設置を通して制御し、
（３）前記電圧測定装置（４０４）及び前記電流測定装置（４０５）の設置を通して制御し、
（４）回路を通して分圧負荷に対して固定された分流制御を行い、
（５）人力によりインタフェース装置を操作し、分圧負荷の分流制御を行い、
（６）外部から信号を入力し、分圧負荷の分流制御を行い、
いずれか一つ以上であり、
前記電圧測定装置（４０４）は、電気機械式及び／または固相電子式素子により構成される電圧測定装置であり、電源電圧、前記主発光ダイオード（ＬＥＤ）（４０１）両端の電圧、前記直流電子制御ユニット（４０３）両端の電圧、および前記主発光ダイオード（ＬＥＤ）（４０１）と前記直流電子制御ユニット（４０３）とを直列に接続する総負荷の両端の電圧値のいずれかを測定し、
前記電圧測定装置（４０４）により測定した電圧が予定値より低いとき、前記直流電子制御ユニット（４０３）は、分流制御を行い、前記主発光ダイオード（ＬＥＤ）（４０１）を通過する電流を増加させ、
前記電圧測定装置（４０４）により測定した電圧が予定値より高いとき、前記直流電子制御ユニット（４０３）は、分流制御を行い、前記主発光ダイオード（ＬＥＤ）（４０１）を通過する電流を減少させ、
前記電流測定装置（４０５）は、電気機械式及び／または固相電子式素子により構成される電流測定装置であり、前記主発光ダイオード（ＬＥＤ）（４０１）、前記分圧発光ダイオード（ＬＥＤ）（４０２）、および前記直流電子制御ユニット（４０３）の中のワンウェイまたはワンウェイ以上を通過する電流値を測定し、
前記電流測定装置（４０５）によって測定した電流が予定値より低いとき、前記直流電子制御ユニット（４０３）は、分流制御を行い、前記主発光ダイオード（ＬＥＤ）（４０１）を通過する電流を増加させ、
前記電流測定装置（４０５）によって測定した電流が予定値より高いとき、前記直流電子制御ユニット（４０３）は、分流制御を行い、前記主発光ダイオード（ＬＥＤ）（４０１）を通過する電流を減少させることを特徴とする請求項２に記載の電流制御および駆動回路。
【請求項６】
等価インピーダンス（５００）、交流電源により駆動される主交流発光ダイオード（ＬＥＤ）（５０１）、交流電源により駆動される分圧交流発光ダイオード（ＬＥＤ）（５０２）、交流電子制御ユニット（５０３）、交流電圧測定装置（５０４）、および交流電流測定装置（５０５）を備える電流制御および駆動回路であって、
前記等価インピーダンス（５００）は、前記主交流発光ダイオード（ＬＥＤ）（５０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成され、上述装置を通して、等価インピーダンス（５００）を通過する電流のリップル値を下げ、
前記主交流発光ダイオード（ＬＥＤ）（５０１）は、二個以上の発光ダイオード（ＬＥＤ）を逆極性に並列に接続することにより構成される一個以上の交流発光ダイオード（ＬＥＤ）を直列に接続、並列に接続または直並列接続することにより構成され、交流電源の駆動を受け、
前記分圧交流発光ダイオード（ＬＥＤ）（５０２）は、二個以上の発光ダイオード（ＬＥＤ）を逆極性に並列に接続することにより構成される一個以上の交流発光ダイオード（ＬＥＤ）を直列に接続、並列に接続または直並列に接続することにより構成され、前記主交流発光ダイオード（ＬＥＤ）（５０１）と直列に接続され、前記交流電子制御ユニット（５０３）と並列に接続され、交流電源に駆動され、
前記交流電子制御ユニット（５０３）は、前記分圧交流発光ダイオード（ＬＥＤ）（５０２）を通過する電流を受け、分流制御を行い、
前記交流電子制御ユニット（５０３）は、電気機械式オン／オフ装置、固相半導体式オン／オフ装置、または固相半導体式線形抵抗変換器により構成され、前記分圧交流発光ダイオード（ＬＥＤ）（５０２）の両端に並列に接続され、
前記交流電子制御ユニット（５０３）の制御を通して、導通位相角の分流制御、前記交流電子制御ユニット（５０３）のオン／オフ式導通または遮断する分流制御、または前記交流電子制御ユニット（５０３）の線形抵抗値を制御することにより、前記交流電子制御ユニット（５０３）は前記分圧交流発光ダイオード（ＬＥＤ）（５０２）の分流制御を行い、
前記交流電子制御ユニット（５０３）が分流制御する方式は、
（１）前記交流電圧測定装置（５０４）の設置を通して制御し、
（２）前記交流電流測定装置（５０５）の設置を通して制御し、
（３）前記交流電圧測定装置（５０４）及び前記交流電流測定装置（５０５）の設置を通して制御し、
（４）回路を通して分圧負荷に対して固定された分流制御を行い、
（５）人力によりインタフェース装置を操作し、分圧負荷の分流制御を行い、
（６）外部から信号を入力し、分圧負荷の分流制御を行い、
いずれか一つ以上であり、
前記交流電圧測定装置（５０４）は、電気機械式及び／または固相電子式素子により構成される交流電圧測定装置であり、交流電源電圧、前記主交流発光ダイオード（ＬＥＤ）（５０１）両端の電圧、前記交流電子制御ユニット（５０３）両端の電圧、および前記主交流発光ダイオード（ＬＥＤ）（５０１）と前記交流電子制御ユニット（５０３）とを直列に接続する総負荷の両端の電圧値のいずれかを測定し、
前記交流電圧測定装置（５０４）により測定した電圧が予定値より低いとき、前記交流電子制御ユニット（５０３）は、分流制御を行い、前記主交流発光ダイオード（ＬＥＤ）（５０１）を通過する電流を増加させ、
前記交流電圧測定装置（５０４）により測定した電圧が予定値より高いとき、前記交流電子制御ユニット（５０３）は、分流制御を行い、前記主交流発光ダイオード（ＬＥＤ）（５０１）を通過する電流を減少させ、
前記交流電流測定装置（５０５）は、電気機械式及び／または固相電子式素子により構成される交流電流測定装置であり、前記主交流発光ダイオード（ＬＥＤ）（５０１）、前記分圧交流発光ダイオード（ＬＥＤ）（５０２）、および前記交流電子制御ユニット（５０３）の中のワンウェイまたはワンウェイ以上を通過する電流値を測定し、
前記交流電流測定装置（５０５）によって測定した電流が予定値より低いとき、前記交流電子制御ユニット（５０３）は、分流制御を行い、前記主交流発光ダイオード（ＬＥＤ）（５０１）を通過する電流を増加させ、
前記交流電流測定装置（５０５）によって測定した電流が予定値より高いとき、前記交流電子制御ユニット（５０３）は、分流制御を行い、前記主交流発光ダイオード（ＬＥＤ）（５０１）を通過する電流を減少させることを特徴とする請求項２に記載の電流制御および駆動回路。
【請求項７】
等価インピーダンス（６００）、交流または直流電源により駆動される電熱主負荷（６０１）、交流または直流電源により駆動される分圧電熱負荷（６０２）、電気エネルギー制御装置（６０３）、電圧測定装置（６０４）、および電流測定装置（６０５）を備える電流制御および駆動回路であって、
前記等価インピーダンス（６００）は、前記電熱主負荷（６０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成され、上述装置を通して、等価インピーダンス（６００）を通過する電流のリップル値を下げ、
前記電熱主負荷（６０１）は、交流または直流電源駆動の電気エネルギーを熱エネルギーに変換する主負荷により構成され、
前記分圧電熱負荷（６０２）は、交流または直流電源駆動の電気エネルギーを熱エネルギーに変換する電熱分圧負荷により構成され、前記電熱主負荷（６０１）と直列に接続され、前記電気エネルギー制御装置（６０３）と並列に接続され、電源の駆動を受け、
前記電気エネルギー制御装置（６０３）は、前記分圧電熱負荷（６０２）を通過する電流を受け、分流制御を行い、
前記電気エネルギー制御装置（６０３）は、電気機械式オン／オフ装置、固相半導体式オン／オフ装置、または固相半導体式線形抵抗変換器により構成される交流または直流電源制御装置であり、
直流電源に対して遮断制御を行うとき、前記電気エネルギー制御装置（６０３）を稼動して変動する遮断周波数の分流制御、遮断導通時間比のＰＷＭの分流制御、または同時に変動する遮断周波数及び遮断導通時間比のＰＷＭの分流制御を行い、
二方向に周期的に交流の極性反転電源を用いるとき、前記電気エネルギー制御装置（６０３）を制御して、導通位相角の分流制御を行い、
直流電源または二方向に周期的に交流の極性反転電源を用いるとき、前記電気エネルギー制御装置（６０３）のオン／オフ式導通または遮断する分流制御、または前記電気エネルギー制御装置（６０３）の線形抵抗値を制御することにより、前記電気エネルギー制御装置（６０３）は前記分圧電熱負荷（６０２）の電流の分流制御を行い、
前記電気エネルギー制御装置（６０３）が分流制御する方式は、
（１）前記電圧測定装置（６０４）の設置を通して制御し、
（２）前記電流測定装置（６０５）の設置を通して制御し、
（３）前記電圧測定装置（６０４）及び前記電流測定装置（６０５）の設置を通して制御し、
（４）回路を通して分圧負荷に対して固定された分流制御を行い、
（５）人力によりインタフェース装置を操作し、分圧負荷の分流制御を行い、
（６）外部から信号を入力し、分圧負荷の分流制御を行い、
いずれか一つ以上であり、
前記電圧測定装置（６０４）は、電気機械式及び／または固相電子式素子により構成される電圧測定装置であり、電源電圧、前記電熱主負荷（６０１）両端の電圧、前記電気エネルギー制御装置（６０３）両端の電圧、および前記電熱主負荷（６０１）と前記電気エネルギー制御装置（６０３）とを直列に接続する総負荷の両端の電圧値のいずれかを測定し、
前記電圧測定装置（６０４）により測定した電圧が予定値より低いとき、前記電気エネルギー制御装置（６０３）は、分流制御を行い、前記電熱主負荷（６０１）を通過する電流を増加させ、
前記電圧測定装置（６０４）により測定した電圧が予定値より高いとき、前記電気エネルギー制御装置（６０３）は、分流制御を行い、前記電熱主負荷（６０１）を通過する電流を減少させ、
前記電流測定装置（６０５）は、電気機械式及び／または固相電子式素子により構成される電流測定装置であり、前記電熱主負荷（６０１）、前記分圧電熱負荷（６０２）、および前記電気エネルギー制御装置（６０３）の中のワンウェイまたはワンウェイ以上を通過する電流値を測定し、
前記電流測定装置（６０５）によって測定した電流が予定値より低いとき、前記電気エネルギー制御装置（６０３）は、分流制御を行い、前記電熱主負荷（６０１）を通過する電流を増加させ、
前記電流測定装置（６０５）によって測定した電流が予定値より高いとき、前記電気エネルギー制御装置（６０３）は、分流制御を行い、前記電熱主負荷（６０１）を通過する電流を減少させることを特徴とする請求項２に記載の電流制御および駆動回路。
【請求項８】
等価インピーダンス（７００）、直流電源に駆動される直流主負荷（７０１）、分圧素子とする分圧ツェナーダイオード（７０２）、直流電子制御ユニット（７０３）、直流電圧測定装置（７０４）、および直流電流測定装置（７０５）を備える電流制御および駆動回路であって、
前記等価インピーダンス（７００）は、前記直流主負荷（７０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成され、上述装置を通して、等価インピーダンス（７００）を通過する電流のリップル値を下げ、
前記直流主負荷（７０１）は、直流またはパルスＤＣ電源に駆動される主負荷、直流電源を光エネルギーに変換する主負荷、直流電源を熱エネルギーに変換する主負荷、直流電源を機械エネルギーに変換する主負荷、直流電源を化学エネルギーに変換する主負荷、直流電源をサウンドエネルギーに変換する主負荷のいずれか一つ以上であり、
前記分圧ツェナーダイオード（７０２）は、一個以上のツェナーダイオードを直列に接続、並列に接続または直並列に接続することにより構成され、前記直流主負荷（７０１）と直列に接続され、前記直流電子制御ユニット（７０３）と並列に接続され、直流電源またはパルス直流電源に駆動され、
前記直流電子制御ユニット（７０３）は、前記分圧ツェナーダイオード（７０２）を通過する電流を受け、分流制御を行い、
前記直流電子制御ユニット（７０３）は、電気機械式オン／オフ装置、固相半導体式オン／オフ装置、または固相半導体式線形抵抗変換器により構成され、前記分圧ツェナーダイオード（７０２）の両端に並列に接続され、
直流電源を用いて遮断制御を行うとき、前記直流電子制御ユニット（７０３）を稼動して変動する遮断周波数の分流制御、遮断導通時間比のＰＷＭの分流制御、同時に変動する遮断周波数及び遮断導通時間比のＰＷＭの分流制御、前記直流電子制御ユニット（７０３）のオン／オフ式導通または遮断する分流制御、または前記直流電子制御ユニット（７０３）の線形抵抗値を制御することにより、前記直流電子制御ユニット（７０３）は前記分圧ツェナーダイオード（７０２）の電流の分流制御を行い、
前記直流電子制御ユニット（７０３）が分流制御する方式は、
（１）前記直流電圧測定装置（７０４）の設置を通して制御し、
（２）前記直流電流測定装置（７０５）の設置を通して制御し、
（３）前記直流電圧測定装置（７０４）及び前記直流電流測定装置（７０５）の設置を通して制御し、
（４）回路を通して分圧負荷に対して固定された分流制御を行い、
（５）人力によりインタフェース装置を操作し、分圧負荷の分流制御を行い、
（６）外部から信号を入力し、分圧負荷の分流制御を行い、
いずれか一つ以上であり、
前記直流電圧測定装置（７０４）は、電気機械式及び／または固相電子式素子により構成される電圧測定装置であり、電源電圧、前記直流主負荷（７０１）両端の電圧、前記直流電子制御ユニット（７０３）両端の電圧、および前記直流主負荷（７０１）と前記直流電子制御ユニット（７０３）とを直列に接続する総負荷の両端の電圧値のいずれかを測定し、
前記直流電圧測定装置（７０４）により測定した電圧が予定値より低いとき、前記直流電子制御ユニット（７０３）は、分流制御を行い、前記直流主負荷（７０１）を通過する電流を増加させ、
前記直流電圧測定装置（７０４）により測定した電圧が予定値より高いとき、前記直流電子制御ユニット（７０３）は、分流制御を行い、前記直流主負荷（７０１）を通過する電流を減少させ、
前記直流電流測定装置（７０５）は、電気機械式及び／または固相電子式素子により構成される電流測定装置であり、前記直流主負荷（７０１）、前記分圧ツェナーダイオード（７０２）、および前記直流電子制御ユニット（７０３）の中のワンウェイまたはワンウェイ以上を通過する電流値を測定し、
前記直流電流測定装置（７０５）によって測定した電流が予定値より低いとき、前記直流電子制御ユニット（７０３）は、分流制御を行い、前記直流主負荷（７０１）を通過する電流を増加させ、
前記直流電流測定装置（７０５）によって測定した電流が予定値より高いとき、前記直流電子制御ユニット（７０３）は、分流制御を行い、前記直流主負荷（７０１）の電流を減少させることを特徴とする請求項２に記載の電流制御および駆動回路。
【請求項９】
等価インピーダンス（８００）、交流電源に駆動される交流主負荷（８０１）、分圧素子とする分圧二方向ツェナーダイオード（８０２）、交流電子制御ユニット（８０３）、交流電圧測定装置（８０４）、および交流電流測定装置（８０５）を備える電流制御および駆動回路であって、
前記等価インピーダンス（８００）は、前記交流主負荷（８０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成され、上述装置を通して、等価インピーダンス（８００）を通過する電流のリップル値を下げ、
前記交流主負荷（８０１）は、交流電源により駆動される主負荷であり、交流電源を光エネルギーに変換する主負荷、交流電源を熱エネルギーに変換する主負荷、交流電源を機械エネルギーに変換する主負荷、交流電源を化学エネルギーに変換する主負荷、交流電源をサウンドエネルギーに変換する主負荷のいずれか一つ以上であり、
前記分圧二方向ツェナーダイオード（８０２）は、二個以上のツェナーダイオードの異なる作動極性を並列接続しまたは直列に接続することにより構成され、前記交流主負荷（８０１）と直列に接続され、前記交流電子制御ユニット（８０３）と並列に接続され、交流電源に駆動され、
前記交流電子制御ユニット（８０３）は、前記分圧二方向ツェナーダイオード（８０２）を通過する電流を受け、分流制御を行い、
前記交流電子制御ユニット（８０３）は、電気機械式オン／オフ装置、固相半導体式オン／オフ装置、または固相半導体式線形抵抗変換器により構成され、前記分圧二方向ツェナーダイオード（８０２）の両端に並列に接続され、
前記交流電子制御ユニット（８０３）の制御を通して、導通位相角の分流制御、前記交流電子制御ユニット（８０３）のオン／オフ式導通または遮断する分流制御、または前記交流電子制御ユニット（８０３）の線形抵抗値を制御することにより、前記交流電子制御ユニット（８０３）は前記分圧二方向ツェナーダイオード（８０２）の電流の分流制御を行い、
前記交流電子制御ユニット（８０３）が分流制御する方式は、
（１）前記交流電圧測定装置（８０４）の設置を通して制御し、
（２）前記交流電流測定装置（８０５）の設置を通して制御し、
（３）前記交流電圧測定装置（８０４）及び前記交流電流測定装置（８０５）の設置を通して制御し、
（４）回路を通して分圧負荷に対して固定された分流制御を行い、
（５）人力によりインタフェース装置を操作し、分圧負荷の分流制御を行い、
（６）外部から信号を入力し、分圧負荷の分流制御を行い、
いずれか一つ以上であり、
前記交流電圧測定装置（８０４）は、電気機械式及び／または固相電子式素子により構成される交流電圧測定装置であり、交流電源電圧、前記交流主負荷（８０１）両端の電圧、前記交流電子制御ユニット（８０３）両端の電圧、および前記交流主負荷（８０１）と前記交流電子制御ユニット（８０３）とを直列に接続する総負荷の両端の電圧値のいずれかを測定し、
前記交流電圧測定装置（８０４）により測定した電圧が予定値より低いとき、前記交流電子制御ユニット（８０３）は、分流制御を行い、前記交流主負荷（８０１）を通過する電流を増加させ、
前記交流電圧測定装置（８０４）により測定した電圧が予定値より高いとき、前記交流電源制御装置（８０３）は、分流制御を行い、前記主交流主負荷（８０１）を通過する電流を減少させ、
前記交流電流測定装置（８０５）は、電気機械式及び／または固相電子式素子により構成される交流電流測定装置であり、前記交流主負荷（８０１）、前記分圧二方向ツェナーダイオード（８０２）、および前記交流電子制御ユニット（８０３）の中のワンウェイまたはワンウェイ以上を通過する電流値を測定し、
前記交流電流測定装置（８０５）によって測定した電流が予定値より低いとき、前記交流電子制御ユニット（８０３）は、分流制御を行い、前記交流主負荷（８０１）を通過する電流を増加させ、
前記交流電流測定装置（８０５）によって測定した電流が予定値より高いとき、前記交流電子制御ユニット（８０３）は、分流制御を行い、前記交流主負荷（８０１）を通過する電流を減少させることを特徴とする請求項２に記載の電流制御および駆動回路。
【請求項１０】
等価インピーダンス（９００）、交流または直流電源に駆動される交流直流両用の主負荷（９０１）、交流電源と直流電源とを切り換える整流ダイオード（９０２）、電気エネルギー制御装置（９０３）、電圧測定装置（９０４）、および電流測定装置（９０５）を備える電流制御および駆動回路であって、
前記等価インピーダンス（９００）は、前記交流直流両用の主負荷（９０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成され、上述装置を通して、等価インピーダンス（９００）を通過する電流のリップル値を下げ、
前記交流直流両用の主負荷（９０１）は、交流または直流電源駆動の主負荷、交流または直流電源を光エネルギーに変換する主負荷、交流電または直流能を熱エネルギーに変換する主負荷、交流または直流電源を機械エネルギーに変換する主負荷、交流または直流電源を化学エネルギーに変換する主負荷、交流または直流電源をサウンドエネルギーに変換する主負荷のいずれか一つ以上であり、
前記整流ダイオード（９０２）は、一個以上の整流ダイオードを直列に接続、並列に接続または直並列に接続することにより構成され、前記交流直流両用の主負荷（９０１）と直列に接続され、前記電気エネルギー制御装置（９０３）と並列に接続され、交流電源を半波整流して直流へ切換え、分圧素子とし、
前記電気エネルギー制御装置（９０３）は、整流ダイオード（９０２）を通過する電流を受け、分流制御を行い、
前記電気エネルギー制御装置（９０３）は、電気機械式オン／オフ装置、固相半導体式オン／オフ装置、または固相半導体式線形抵抗変換器により構成され、
直流電源を用いて遮断制御を行うとき、前記電気エネルギー制御装置（９０３）を稼働して変動する遮断周波数の分流制御、遮断導通時間比のＰＷＭの分流制御、または同時に変動する遮断周波数及び遮断導通時間比のＰＷＭの分流制御を行い、
二方向に周期的に交流の極性反転電源を用いるとき、前記電気エネルギー制御装置（９０３）の制御を通して、導通位相角の分流制御を行い、
直流電源または二方向に周期的に交流の極性反転電源を用いるとき、前記電気エネルギー制御装置（９０３）のオン／オフ式導通または遮断する分流制御、または前記電気エネルギー制御装置（９０３）の線形抵抗値を制御することにより、前記電気エネルギー制御装置（９０３）は前記整流ダイオード（９０２）の電流及び前記整流ダイオード（９０２）に隔離される別の流向の電流の分流制御を行い、
前記電気エネルギー制御装置（９０３）が分流制御する方式は、
（１）前記電圧測定装置（９０４）の設置を通して制御し、
（２）前記電流測定装置（９０５）の設置を通して制御し、
（３）前記電圧測定装置（９０４）及び前記電流測定装置（９０５）の設置を通して制御し、
（４）回路を通して分圧負荷に対して固定された分流制御を行い、
（５）人力によりインタフェース装置を操作し、分圧負荷の分流制御を行い、
（６）外部から信号を入力し、分圧負荷の分流制御を行い、
いずれか一つ以上であり、
前記電圧測定装置（９０４）は、電気機械式及び／または固相電子式素子により構成される電圧測定装置であり、電源電圧、前記交流直流両用の主負荷（９０１）両端の電圧、前記電気エネルギー制御装置（９０３）両端の電圧、および前記交流直流両用の主負荷（９０１）と前記電気エネルギー制御装置（９０３）とを直列に接続する総負荷の両端の電圧値のいずれかを測定し、
前記電圧測定装置（９０４）により測定した電圧が予定値より低いとき、前記電気エネルギー制御装置（９０３）は、分流制御を行い、前記交流直流両用の主負荷（９０１）を通過する電流を増加させ、
前記電圧測定装置（９０４）により測定した電圧が予定値より高いとき、前記電気エネルギー制御装置（９０３）は、分流制御を行い、前記交流直流両用の主負荷（９０１）を通過する電流を減少させ、
前記電流測定装置（９０５）は、電気機械式及び／または固相電子式素子により構成される交流電流測定装置であり、前記交流直流両用の主負荷（９０１）、前記整流ダイオード（９０２）、および前記電気エネルギー制御装置（９０３）の中のワンウェイまたはワンウェイ以上を通過する電流値を測定し、
前記電流測定装置（９０５）によって測定した電流が予定値より低いとき、前記電気エネルギー制御装置（９０３）は、分流制御を行い、前記交流直流両用の主負荷（９０１）を通過する電流を増加させ、
前記電流測定装置（９０５）によって測定した電流が予定値より高いとき、前記電気エネルギー制御装置（９０３）は、分流制御を行い、前記交流直流両用の主負荷（９０１）を通過する電流を減少させることを特徴とする請求項２に記載の電流制御および駆動回路。
【請求項１１】
等価インピーダンス（１０００）、交流または直流電源に駆動される主負荷（１００１）、分圧素子とする分圧抵抗（１００２）、電気エネルギー制御装置（１００３）、電圧測定装置（１００４）、および電流測定装置（１００５）を備える電流制御および駆動回路であって、
前記等価インピーダンス（１０００）は、前記主負荷（１００１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成され、上述装置を通して、等価インピーダンス（１０００）を通過する電流のリップル値を下げ、
前記主負荷（１００１）は、交流、直流、またはパルスＤＣ電源により駆動される主負荷であり、電気エネルギーを光エネルギーに変換する主負荷、電気エネルギーを熱エネルギーに変換する主負荷、電気エネルギーを機械エネルギーに変換する主負荷、電気エネルギーを化学エネルギーに変換する主負荷、電気エネルギーをサウンドエネルギーに変換する主負荷のいずれか一つ以上であり、
前記分圧抵抗（１００２）は、交流、直流、またはパルスＤＣ電源を通過する抵抗性抵抗素子のいずれか一つ以上であり、前記主負荷（１００１）と直列に接続され、前記電気エネルギー制御装置（１００３）と並列に接続され、
前記電気エネルギー制御装置（１００３）は、前記分圧抵抗（１００２）の電流を受け、分流制御を行い、
前記電気エネルギー制御装置（１００３）は、電気機械式オン／オフ装置、固相半導体式オン／オフ装置、または固相半導体式線形抵抗変換器により構成され、
直流電源を用いて遮断制御を行うとき、前記電気エネルギー制御装置（１００３）を稼動して変動する遮断周波数の分流制御、遮断導通時間比のＰＷＭの分流制御、または同時に変動する遮断周波数及び遮断導通時間比のＰＷＭの分流制御を行い、
二方向に周期的に交流の極性反転電源を用いるとき、前記電気エネルギー制御装置（１００３）の制御を通して、導通位相角の分流制御を行い、
直流電源または二方向に周期的に交流の極性反転電源を用いるとき、前記電気エネルギー制御装置（１００３）のオン／オフ式導通または遮断する分流制御、または電気エネルギー制御装置（１００３）の線形抵抗値を制御することにより、前記電気エネルギー制御装置（１００３）が前記分圧抵抗（１００２）の電流の分流制御を行い、
前記電気エネルギー制御装置（１００３）が分流制御する方式は、
（１）前記電圧測定装置（１００４）の設置を通して制御し、
（２）前記電流測定装置（１００５）の設置を通して制御し、
（３）前記電圧測定装置（１００４）及び前記電流測定装置（１００５）の設置を通して制御し、
（４）回路を通して分圧負荷に対して固定された分流制御を行い、
（５）人力によりインタフェース装置を操作し、分圧負荷の分流制御を行い、
（６）外部から信号を入力し、分圧負荷の分流制御を行い、
いずれか一つ以上であり、
前記電圧測定装置（１００４）は、電気機械式及び／または固相電子式素子により構成される電圧測定装置であり、電源電圧、前記主負荷（１００１）両端の電圧、前記電気エネルギー制御装置（１００３）両端の電圧、および前記主負荷（１００１）と前記電気エネルギー制御装置（１００３）とを直列に接続する総負荷の両端の電圧値のいずれかを測定し、
前記電圧測定装置（１００４）により測定した電圧が予定値より低いとき、前記電気エネルギー制御装置（１００３）は、分流制御を行い、主負荷を通過する電流を増加させ、
前記電圧測定装置（１００４）により測定した電圧が予定値より高いとき、前記電気エネルギー制御装置（１００３）は、分流制御を行い、主負荷を通過する電流を減少させ、
前記電流測定装置（１００５）は、電気機械式及び／または固相電子式素子により構成される電流測定装置であり、前記主負荷（１００１）、前記分圧抵抗（１００２）、および前記電気エネルギー制御装置（１００３）の中のワンウェイまたはワンウェイ以上を通過する電流値を測定し、
前記電流測定装置（１００５）によって測定した電流が予定値より低いとき、前記電気エネルギー制御装置（１００３）は、分流制御を行い、前記主負荷（１００１）を通過する電流を増加させ、
前記電流測定装置（１００５）によって測定した電流が予定値より高いとき、前記電気エネルギー制御装置（１００３）は、分流制御を行い、前記主負荷（１００１）を通過する電流を減少させることを特徴とする請求項２に記載の電流制御および駆動回路。
【請求項１２】
等価インピーダンス（１１００）、直流電源に駆動される主負荷（１１０１）、分圧素子とする誘導性分圧抵抗素子（１１０２）、直流電子制御ユニット（１１０３）、電圧測定装置（１１０４）、電流測定装置（１１０５）、フライホイールダイオード（１１０６）、および前記主負荷（１１０１）と直列に接続される隔離ダイオード（１１０７）を備える電流制御および駆動回路であって、
前記等価インピーダンス（１１００）は、前記主負荷（１１０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成され、上述装置を通して、等価インピーダンス（１１００）を通過する電流のリップル値を下げ、
前記主負荷（１１０１）は、直流またはパルスＤＣ電源により駆動される主負荷であり、電気エネルギーを光エネルギーに変換する主負荷、電気エネルギーを熱エネルギーに変換する主負荷、電気エネルギーを機械エネルギーに変換する主負荷、電気エネルギーを化学エネルギーに変換する主負荷、電気エネルギーをサウンドエネルギーに変換する主負荷のいずれか一つ以上であり、
前記誘導性分圧抵抗素子（１１０２）は、一個以上の直流、またはパルスを通過するＤＣ電源の誘導性インピーダンス素子であり、前記隔離ダイオード（１１０７）と前記主負荷（１１０１）とに順極性直列に接続され、前記隔離ダイオード（１１０７）と直列に接続された後の両端が前記直流電子制御ユニット（１１０３）と並列に接続され、
前記直流電子制御ユニット（１１０３）は、前記誘導性分圧抵抗素子（１１０２）を通過する電流を受け、分流制御を行い、
前記フライホイールダイオード（１１０６）は、ダイオードまたは高速ダイオードにより構成され、前記誘導性分圧抵抗素子（１１０２）と逆極性並列に接続され、
前記隔離ダイオード（１１０７）は、ダイオードまたは高速ダイオードにより構成され、前記誘導性分圧抵抗素子（１１０２）に順極性直列に接続され、
前記直流電子制御ユニット（１１０３）は、電気機械式オン／オフ装置、固相半導体式オン／オフ装置、または固相半導体式線形抵抗変換器により構成され、
直流電源を用いて遮断制御を行うとき、前記直流電子制御ユニット（１１０３）を稼動して変動する遮断周波数の分流制御、遮断導通時間比のＰＷＭの分流制御、同時に変動する遮断周波数及び遮断導通時間比のＰＷＭの分流制御、前記直流電子制御ユニット（１１０３）のオン／オフ式導通または遮断する分流制御、または前記直流電子制御ユニット（１１０３）の線形抵抗値を制御することにより、前記直流電子制御ユニット（１１０３）が前記誘導性分圧抵抗素子（１１０２）の電流の分流制御を行い、
前記直流電子制御ユニット（１１０３）が分流制御する方式は、
（１）前記電圧測定装置（１１０４）の設置を通して制御し、
（２）前記電流測定装置（１１０５）の設置を通して制御し、
（３）前記電圧測定装置（１１０４）及び前記電流測定装置（１１０５）の設置を通して制御し、
（４）回路を通して分圧負荷に対して固定された分流制御を行い、
（５）人力によりインタフェース装置を操作し、分圧負荷の分流制御を行い、
（６）外部から信号を入力し、分圧負荷の分流制御を行い、
いずれか一つ以上であり、
前記電圧測定装置（１１０４）は、電気機械式及び／または固相電子式素子により構成される電圧測定装置であり、電源電圧、前記主負荷（１１０１）両端の電圧、前記直流電子制御ユニット（１１０３）両端の電圧、および前記主負荷（１１０１）と前記直流電子制御ユニット（１１０３）とを直列に接続する総負荷の両端の電圧値のいずれかを測定し、
前記電圧測定装置（１１０４）により測定した電圧が予定値より低いとき、前記直流電子制御ユニット（１１０３）は、分流制御を行い、前記主負荷（１１０１）を通過する電流を増加させ、
前記電圧測定装置（１１０４）により測定した電圧が予定値より高いとき、前記直流電子制御ユニット（１１０３）は、分流制御を行い、前記主負荷（１１０１）を通過する電流を減少させ、
前記電流測定装置（１１０５）は、電気機械式及び／または固相電子式素子により構成される電流測定装置であり、前記主負荷（１１０１）、前記誘導性分圧抵抗素子（１１０２）、および前記直流電子制御ユニット（１１０３）の中のワンウェイまたはワンウェイ以上を通過する電流値を測定し、
前記電流測定装置（１１０５）によって測定した電流が予定値より低いとき、前記直流電子制御ユニット（１１０３）は、分流制御を行い、前記主負荷（１１０１）を通過する電流を増加させ、
前記電流測定装置（１１０５）によって測定した電流が予定値より高いとき、前記直流電子制御ユニット（１１０３）は、分流制御を行い、前記主負荷（１１０１）を通過する電流を減少させることを特徴とする請求項２に記載の電流制御および駆動回路。
【請求項１３】
等価インピーダンス（１２００）、直流電源に駆動される主負荷（１２０１）、分圧抵抗素子（１２０２）、直流電子制御ユニット（１２０３）、電圧測定装置（１２０４）、電流測定装置（１２０５）、フライホイールダイオード（１２０６）、および前記主負荷（１２０１）と直列に接続される隔離ダイオード（１２０７）を備える電流制御および駆動回路であって、
前記等価インピーダンス（１２００）は、前記主負荷（１２０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成され、上述装置を通して、等価インピーダンス（１２００）を通過する電流のリップル値を下げ、
前記主負荷（１２０１）は、直流またはパルスＤＣ電源により駆動される主負荷であり、電気エネルギーを光エネルギーに変換する主負荷、電気エネルギーを熱エネルギーに変換する主負荷、電気エネルギーを機械エネルギーに変換する主負荷、電気エネルギーを化学エネルギーに変換する主負荷、電気エネルギーをサウンドエネルギーに変換する主負荷のいずれか一つ以上であり、
前記分圧抵抗素子（１２０２）は、一個以上の直流、またはパルスＤＣ電源を通過させる誘導性インピーダンス素子（１２０２１）と抵抗（１２０２２）とを直列接続することにより構成され、前記隔離ダイオード（１２０７）と前記主負荷（１２０１）とに順極性直列に接続され、前記隔離ダイオード（１２０７）と直列接続された後の両端が前記直流電子制御ユニット（１２０３）と並列に接続され、
前記直流電子制御ユニット（１２０３）は、前記分圧抵抗素子（１２０２）を通過する電流を受け、分流制御を行い、
前記フライホイールダイオード（１２０６）は、ダイオードまたは高速ダイオードにより構成され、前記分圧抵抗素子（１２０２）と逆極性並列に接続され、
前記隔離ダイオード（１２０７）は、ダイオードまたは高速ダイオードにより構成され、前記分圧抵抗素子（１２０２）に順極性直列に接続され、
前記直流電子制御ユニット（１２０３）は、電気機械式オン／オフ装置、固相半導体式オン／オフ装置、または固相半導体式線形抵抗変換器により構成され、
直流電源を用いて遮断制御を行うとき、前記直流電子制御ユニット（１２０３）を稼動して変動する遮断周波数の分流制御、遮断導通時間比のＰＷＭの分流制御、同時に変動する遮断周波数及び遮断導通時間比のＰＷＭの分流制御、前記直流電子制御ユニット（１２０３）のオン／オフ式導通または遮断する分流制御、または前記直流電子制御ユニット（１２０３）の線形抵抗値を制御することにより、前記直流電子制御ユニット（１２０３）が前記分圧抵抗素子（１２０２）の電流の分流制御を行い、
前記直流電子制御ユニット（１２０３）が分流制御する方式は、
（１）前記電圧測定装置（１２０４）の設置を通して制御し、
（２）前記電流測定装置（１２０５）の設置を通して制御し、
（３）前記電圧測定装置（１２０４）及び前記電流測定装置（１２０５）の設置を通して制御し、
（４）回路を通して分圧負荷に対して固定された分流制御を行い、
（５）人力によりインタフェース装置を操作し、分圧負荷の分流制御を行い、
（６）外部から信号を入力し、分圧負荷の分流制御を行い、
いずれか一つ以上であり、
前記電圧測定装置（１２０４）は、電気機械式及び／または固相電子式素子により構成される電圧測定装置であり、電源電圧、前記主負荷（１２０１）両端の電圧、前記直流電子制御ユニット（１２０３）両端の電圧、および前記主負荷（１２０１）と前記直流電子制御ユニット（１２０３）とを直列に接続する総負荷の両端の電圧値のいずれかを測定し、
前記電圧測定装置（１２０４）により測定した電圧が予定値より低いとき、前記直流電子制御ユニット（１２０３）は、分流制御を行い、前記主負荷（１２０１）を通過する電流を増加させ、
前記電圧測定装置（１２０４）により測定した電圧が予定値より高いとき、前記直流電子制御ユニット（１２０３）は、分流制御を行い、前記主負荷（１２０１）を通過する電流を減少させ、
前記電流測定装置（１２０５）は、電気機械式及び／または固相電子式素子により構成される電流測定装置であり、前記主負荷（１２０１）、前記分圧抵抗素子（１２０２）、および前記直流電子制御ユニット（１２０３）の中のワンウェイまたはワンウェイ以上を通過する電流値を測定し、
前記電流測定装置（１２０５）によって測定した電流が予定値より低いとき、前記直流電子制御ユニット（１２０３）は、分流制御を行い、前記主負荷（１２０１）を通過する電流を増加させ、
前記電流測定装置（１２０５）によって測定した電流が予定値より高いとき、前記直流電子制御ユニット（１２０３）は、分流制御を行い、前記主負荷（１２０１）を通過する電流を減少させることを特徴とする請求項２に記載の電流制御および駆動回路。
【請求項１４】
等価インピーダンス（１３００）、直流電源に駆動される主負荷（１３０１）、分圧抵抗素子（１３０２）、直流電子制御ユニット（１３０３）、電圧測定装置（１３０４）、電流測定装置（１３０５）、フライホイールダイオード（１３０６）、および前記主負荷（１３０１）と直列に接続される隔離ダイオード（１３０７）を備える電流制御および駆動回路であって、
前記等価インピーダンス（１３００）は、前記主負荷（１３０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成され、上述装置を通して、等価インピーダンス（１３００）を通過する電流のリップル値を下げ、
前記主負荷（１３０１）は、直流またはパルスＤＣ電源により駆動される主負荷であり、電気エネルギーを光エネルギーに変換する主負荷、電気エネルギーを熱エネルギーに変換する主負荷、電気エネルギーを機械エネルギーに変換する主負荷、電気エネルギーを化学エネルギーに変換する主負荷、電気エネルギーをサウンドエネルギーに変換する主負荷のいずれか一つ以上であり、
前記分圧抵抗素子（１３０２）は、一個以上の直流、またはパルスＤＣ電源を通過させる誘導性インピーダンス素子（１３０２１）とＬＥＤ（１３０２３）とが直列に接続されて構成され、前記隔離ダイオード（１３０７）と前記主負荷（１３０１）とに順極性直列に接続され、前記隔離ダイオード（１３０７）と直列に接続された後の両端が前記直流電子制御ユニット（１３０３）と並列に接続され、
前記直流電子制御ユニット（１３０３）は、前記分圧抵抗素子（１３０２）を通過する電流を受け、分流制御を行い、
前記フライホイールダイオード（１３０６）は、ダイオードまたは高速ダイオードにより構成され、前記分圧抵抗素子（１３０２）と前記隔離ダイオード（１３０７）とが直列に接続された後の両端に逆極性並列に接続され、
前記隔離ダイオード（１３０７）は、ダイオードまたは高速ダイオードにより構成され、前記分圧抵抗素子（１３０２）に順極性直列に接続され、
前記直流電子制御ユニット（１３０３）は、電気機械式オン／オフ装置、固相半導体式オン／オフ装置、または固相半導体式線形抵抗変換器により構成され、
直流電源を用いて遮断制御を行うとき、前記直流電子制御ユニット（１３０３）を稼動して変動する遮断周波数の分流制御、遮断導通時間比のＰＷＭの分流制御、同時に変動する遮断周波数及び遮断導通時間比のＰＷＭの分流制御、前記直流電子制御ユニット（１３０３）のオン／オフ式導通または遮断する分流制御、または前記直流電子制御ユニット（１３０３）の線形抵抗値を制御することにより、前記直流電子制御ユニット（１３０３）が前記分圧抵抗素子（１３０２）の電流の分流制御を行い、
前記直流電子制御ユニット（１３０３）が分流制御する方式は、
（１）前記電圧測定装置（１３０４）の設置を通して制御し、
（２）前記電流測定装置（１３０５）の設置を通して制御し、
（３）前記電圧測定装置（１３０４）及び前記電流測定装置（１３０５）の設置を通して制御し、
（４）回路を通して分圧負荷に対して固定された分流制御を行い、
（５）人力によりインタフェース装置を操作し、分圧負荷の分流制御を行い、
（６）外部から信号を入力し、分圧負荷の分流制御を行い、
いずれか一つ以上であり、
前記電圧測定装置（１３０４）は、電気機械式及び／または固相電子式素子により構成される電圧測定装置であり、電源電圧、前記主負荷（１３０１）両端の電圧、前記直流電子制御ユニット（１３０３）両端の電圧、および前記主負荷（１３０１）と前記直流電子制御ユニット（１３０３）とを直列に接続する総負荷の両端の電圧値のいずれかを測定し、
前記電圧測定装置（１３０４）により測定した電圧が予定値より低いとき、前記直流電子制御ユニット（１３０３）は、分流制御を行い、前記主負荷（１３０１）を通過する電流を増加させ、
前記電圧測定装置（１３０４）により測定した電圧が予定値より高いとき、前記直流電子制御ユニット（１３０３）は、分流制御を行い、前記主負荷（１３０１）を通過する電流を減少させ、
前記電流測定装置（１３０５）は、電気機械式及び／または固相電子式素子により構成される電流測定装置であり、前記主負荷（１３０１）、前記分圧抵抗素子（１３０２）、および前記直流電子制御ユニット（１３０３）の中のワンウェイまたはワンウェイ以上を通過する電流値を測定し、
前記電流測定装置（１３０５）によって測定した電流が予定値より低いとき、前記直流電子制御ユニット（１３０３）は、分流制御を行い、前記主負荷（１３０１）を通過する電流を増加させ、
前記電流測定装置（１３０５）によって測定した電流が予定値より高いとき、前記直流電子制御ユニット（１３０３）は、分流制御を行い、前記主負荷（１３０１）を通過する電流を減少させることを特徴とする請求項２に記載の電流制御および駆動回路。
【請求項１５】
等価インピーダンス（１４００）、直流電源に駆動される主負荷（１４０１）、分圧抵抗素子（１４０２）、直流電子制御ユニット（１４０３）、電圧測定装置（１４０４）、電流測定装置（１４０５）、フライホイールダイオード（１４０６）、および前記主負荷（１４０１）と直列に接続される隔離ダイオード（１４０７）を備える電流制御および駆動回路であって、
前記等価インピーダンス（１４００）は、前記主負荷（１４０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成され、上述装置を通して、等価インピーダンス（１４００）を通過する電流のリップル値を下げ、
前記主負荷（１４０１）は、直流またはパルスＤＣ電源により駆動される主負荷であり、電気エネルギーを光エネルギーに変換する主負荷、電気エネルギーを熱エネルギーに変換する主負荷、電気エネルギーを機械エネルギーに変換する主負荷、電気エネルギーを化学エネルギーに変換する主負荷、電気エネルギーをサウンドエネルギーに変換する主負荷のいずれか一つ以上であり、
前記分圧抵抗素子（１４０２）は、一個以上の直流、またはパルスＤＣ電源の誘導性インピーダンス素子（１４０２１）と抵抗（１４０２２）とＬＥＤ（１４０２３）とを直列に接続することにより構成され、前記隔離ダイオード（１４０７）と前記主負荷（１４０１）とに順極性直列に接続され、前記隔離ダイオード（１４０７）と直列に接続された後の両端が前記直流電子制御ユニット（１４０３）と並列に接続され、
前記直流電子制御ユニット（１４０３）は、前記分圧抵抗素子（１４０２）を通過する電流を受け、分流制御を行い、
前記フライホイールダイオード（１４０６）は、ダイオードまたは高速ダイオードにより構成され、前記分圧抵抗素子（１４０２）と逆極性並列に接続され、
前記隔離ダイオード（１４０７）は、ダイオードまたは高速ダイオードにより構成され、前記分圧抵抗素子（１４０２）に順極性直列に接続され、
前記直流電子制御ユニット（１４０３）は、電気機械式オン／オフ装置、固相半導体式オン／オフ装置、または固相半導体式線形抵抗変換器により構成され、
直流電源を用いて遮断制御を行うとき、前記直流電子制御ユニット（１４０３）を稼動して変動する遮断周波数の分流制御、遮断導通時間比のＰＷＭの分流制御、同時に変動する遮断周波数及び遮断導通時間比のＰＷＭの分流制御、前記直流電子制御ユニット（１４０３）のオン／オフ式導通または遮断する分流制御、または前記直流電子制御ユニット（１４０３）の線形抵抗値を制御することにより、前記直流電子制御ユニット（１４０３）が前記分圧抵抗素子（１４０２）の電流の分流制御を行い、
前記直流電子制御ユニット（１４０３）が分流制御する方式は、
（１）前記電圧測定装置（１４０４）の設置を通して制御し、
（２）前記電流測定装置（１４０５）の設置を通して制御し、
（３）前記電圧測定装置（１４０４）及び前記電流測定装置（１４０５）の設置を通して制御し、
（４）回路を通して分圧負荷に対して固定された分流制御を行い、
（５）人力によりインタフェース装置を操作し、分圧負荷の分流制御を行い、
（６）外部から信号を入力し、分圧負荷の分流制御を行い、
いずれか一つ以上であり、
前記電圧測定装置（１４０４）は、電気機械式及び／または固相電子式素子により構成される電圧測定装置であり、電源電圧、前記主負荷（１４０１）両端の電圧、前記直流電子制御ユニット（１４０３）両端の電圧、および前記主負荷（１４０１）と前記直流電子制御ユニット（１４０３）とを直列に接続する総負荷の両端の電圧値のいずれかを測定し、
前記電圧測定装置（１４０４）により測定した電圧が予定値より低いとき、前記直流電子制御ユニット（１４０３）は、分流制御を行い、前記主負荷（１４０１）を通過する電流を増加させ、
前記電圧測定装置（１４０４）により測定した電圧が予定値より高いとき、前記直流電子制御ユニット（１４０３）は、分流制御を行い、前記主負荷（１４０１）を通過する電流を減少させ、
前記電流測定装置（１４０５）は、電気機械式及び／または固相電子式素子により構成される電流測定装置であり、前記主負荷（１４０１）、前記分圧抵抗素子（１４０２）、および前記直流電子制御ユニット（１４０３）の中のワンウェイまたはワンウェイ以上を通過する電流値を測定し、
前記電流測定装置（１４０５）によって測定した電流が予定値より低いとき、前記直流電子制御ユニット（１４０３）は、分流制御を行い、前記主負荷（１４０１）を通過する電流を増加させ、
前記電流測定装置（１４０５）によって測定した電流が予定値より高いとき、前記直流電子制御ユニット（１４０３）は、分流制御を行い、前記主負荷（１４０１）を通過する電流を減少させることを特徴とする請求項２に記載の電流制御および駆動回路。
【考案の詳細な説明】
【技術分野】
【０００１】
本考案は、電流制御および駆動回路に関し、詳しくは分圧負荷を通して分流する電流制御および駆動回路に関する。
【背景技術】
【０００２】
従来の交流または直流電源により駆動される負荷に対して、限流制御方式をとり、通常は負荷と直列に接続されるオン／オフ装置に対して、導通または遮断の制御により、限流を行う。
なお、電流制御および駆動回路は例えば、特許文献１に開示されている。
【先行技術文献】
【特許文献】
【０００３】
【特許文献１】特開２００２−２９１１０３号公報
【考案の概要】
【考案が解決しようとする課題】
【０００４】
しかしながら、上記オン／オフ制御を行うとき、電流変化は比較的大きいため、負荷は照明灯具の場合、灯具が明るくなったり暗くなったりし、直接負荷電流に対してＰＷＭ制御電圧を行うとき、比較的大きな電磁干渉が形成されることはその欠点である。
上記問題を解決するため、本考案は、負荷電流パルスおよび電磁干渉を減少させる電流制御および駆動回路を提供することを目的とする。
【課題を解決するための手段】
【０００５】
上記目的を達成するため、本考案による電流制御および駆動回路は、等価インピーダンス、主負荷、分圧負荷、電気エネルギー制御装置、電圧測定装置、および電流測定装置を備える。電気エネルギー制御装置は、分圧負荷に並列に接続され、分圧負荷を通過する電流に対して分流制御する。電気エネルギー制御装置の分流制御方式により、電気エネルギー制御装置は、分圧負荷を通過する電流を増加または減少させ、電気エネルギー制御装置に並列に接続される分圧負荷の両端の抵抗だけを変更する。これにより、負荷電流パルスは比較的小さく、ゆえにもし負荷は照明灯具の場合、明るくなったり暗くなったりする変化が比較的小さく、比較的小さな電磁干渉が形成される。
【図面の簡単な説明】
【０００６】
【図１】本考案による電流制御および駆動回路の構成原理を示すブロック図である。
【図２】本考案の第一実施形態による電流制御および駆動回路を直流電源へ応用するブロック図である。
【図３】本考案第二実施形態による電流制御および駆動回路を交流電源へ応用するブロック図である。
【図４】本考案の第三実施形態による電流制御および駆動回路のブロック図である。
【図５】本考案の第四実施形態による電流制御および駆動回路のブロック図である。
【図６】本考案の第五実施形態による電流制御および駆動回路のブロック図である。
【図７】本考案の第六実施形態による電流制御および駆動回路のブロック図である。
【図８】本考案の第七実施形態による電流制御および駆動回路のブロック図である。
【図９】本考案の第八実施形態による電流制御および駆動回路のブロック図である。
【図１０】本考案の第九実施形態による電流制御および駆動回路のブロック図である。
【図１１】本考案の第十実施形態による電流制御および駆動回路のブロック図である。
【図１２】本考案の第十一実施形態による電流制御および駆動回路のブロック図である。
【図１３】本考案の第十二実施形態による電流制御および駆動回路のブロック図である。
【図１４】本考案の第十三実施形態による電流制御および駆動回路のブロック図である。
【考案を実施するための形態】
【０００７】
以下、本考案による電流制御および駆動回路を図面に基づいて説明する。
図１は本考案による電流制御および駆動回路の構成原理を示すブロック図である。図１に示すように、本考案による電流制御および駆動回路は、主負荷（１０１）と分圧負荷（１０２）とが直列に接続される。分圧負荷（１０２）に対して固定的に分流し、または人力により分流操作をし、または外部から信号を入力することにより制御し、または電圧測定装置（１０４）及び／または電流測定装置（１０５）を通して、測定した信号を分圧負荷（１０１）と並列に接続される電気エネルギー制御装置（１０３）へフィードバックし、分流制御を行う。
【０００８】
交流または直流電源の入力端、主負荷（１０１）または分圧負荷（１０２）の両端、および主負荷（１０１）と分圧負荷（１０２）とを直列に接続する総負荷の両端のうち少なくとも一方に電圧測定装置（１０４）を設置し、電源輸出側または負荷側に電流測定装置（１０５）を設置する。電圧測定装置（１０４）により測定した電圧及び／または電流測定装置（１０５）によって測定した電流が予定値より低いとき、電気エネルギー制御装置（１０３）は稼動し、主負荷（１０１）を通過する電流を増加させる。電圧測定装置（１０４）により測定した電圧及び／または電流測定装置（１０５）によって測定した電流が予定値より高いとき、電気エネルギー制御装置（１０３）は、主負荷（１０１）を通過する電流を減少させる。
【０００９】
これにより、電気エネルギー制御装置（１０３）と並列に接続される分圧負荷（１０２）両端の抵抗だけが変わるため、負荷電流パルスが比較的小さく、ゆえにもし負荷は照明灯具の場合、明るくなったり暗くなったりする変化が比較的小さく、比較的小さな電磁干渉が形成される。
【００１０】
本考案による電流制御および駆動回路は、交流により駆動される負荷または直流により駆動される負荷への応用することができる。
【００１１】
図１に示すように、本考案による電流制御および駆動回路は、等価インピーダンス（１００）、主負荷（１０１）、分圧負荷（１０２）、電気エネルギー制御装置（１０３）、電圧測定装置（１０４）、および電流測定装置（１０５）を備える。
【００１２】
等価インピーダンス（１００）は、主負荷（１０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成される。上述装置を通して、等価インピーダンス（１００）を通過する電流のリップル値を下げる。本考案において、等価インピーダンス（１００）はニーズによって、設置または設置されないことを選択することができる。
【００１３】
主負荷（１０１）は、交流、直流、またはパルスＤＣ電源により駆動される主負荷であり、電気エネルギーを光エネルギーに変換する主負荷、電気エネルギーを熱エネルギーに変換する主負荷、電気エネルギーを機械エネルギーに変換する主負荷、電気エネルギーを化学エネルギーに変換する主負荷、電気エネルギーをサウンドエネルギーに変換する主負荷のいずれか一つ以上である。
【００１４】
分圧負荷（１０２）は、交流、直流、またはパルスＤＣ電源により駆動され、主負荷（１０１）と同じまたは異なる性質の分圧負荷であり、電気エネルギーを光エネルギーに変換する分圧負荷、電気エネルギーを熱エネルギーに変換する分圧負荷、電気エネルギーを機械エネルギーに変換する分圧負荷、電気エネルギーを化学エネルギーに変換する分圧負荷、電気エネルギーをサウンドエネルギーに変換する分圧負荷のいずれか一つ以上であり、主負荷（１０１）と直列に接続され、電気エネルギー制御装置（１０３）と並列に接続され、電気エネルギーに駆動される。電気エネルギー制御装置（１０３）は、分圧負荷（１０２）を通過する電流を受け、分流制御を行う。
【００１５】
電気エネルギー制御装置（１０３）は、電気機械式オン／オフ装置、固相半導体式オン／オフ装置、または固相半導体式線形抵抗変換器により構成される。直流電源を用いて遮断制御を行うとき、電気エネルギー制御装置（１０３）を稼動して変動する遮断周波数の分流制御、遮断導通時間比のＰＷＭの分流制御、または同時に変動する遮断周波数及び遮断導通時間比のＰＷＭの分流制御を行う。二方向に周期的に交流の極性反転電源を用いるとき、電気エネルギー制御装置（１０３）を制御して導通位相角の分流制御を行う。直流電源または二方向に周期的に交流の極性反転電源を用いるとき、電気エネルギー制御装置（１０３）を制御してオン／オフ式導通または遮断する分流制御、または電気エネルギー制御装置（１０３）の線形抵抗値の制御を通して、電気エネルギー制御装置（１０３）が分圧負荷（１０２）を通過する電流の分流制御を行う。
【００１６】
電気エネルギー制御装置（１０３）が分流制御する方式は下記のいずれか一つ以上である。
（１）電圧測定装置（１０４）の設置を通して制御する。（２）電流測定装置（１０５）の設置を通して制御する。（３）電圧測定装置（１０４）及び電流測定装置（１０５）の設置を通して制御する。（４）回路を通して分圧負荷に対して固定された分流制御を行う。（５）人力によりインタフェース装置を操作し、分圧負荷の分流制御を行う。（６）外部から信号を入力し、分圧負荷の分流制御を行う。
【００１７】
電圧測定装置（１０４）と電流測定装置（１０５）とのいずれか一つ以上を設置し、電気エネルギー制御装置（１０３）は分流制御を行う。
【００１８】
電圧測定装置（１０４）は、電気機械式及び／または固相電子式素子により構成される電圧測定装置であり、電源電圧、主負荷（１０１）両端の電圧、電気エネルギー制御装置（１０３）両端の電圧、および主負荷（１０１）と電気エネルギー制御装置（１０３）とを直列に接続する総負荷の両端の電圧値のいずれかを測定することにより、電気エネルギー制御装置（１０３）によって下記の制御を行う。
【００１９】
電圧測定装置（１０４）により測定した電圧が予定値より低いとき、電気エネルギー制御装置（１０３）は分流制御を行うことにより、主負荷（１０１）を通過する電流を増加させる。
電圧測定装置（１０４）により測定した電圧が予定値より高いとき、電気エネルギー制御装置（１０３）は分流制御を行うことにより、主負荷（１０１）を通過する電流を減少させる。
【００２０】
電流測定装置（１０５）は、電気機械式及び／または固相電子式素子により構成される電流測定装置であり、主負荷（１０１）、分圧負荷（１０２）、および電気エネルギー制御装置（１０３）の中のワンウェイまたはワンウェイ以上を通過する電流値を測定することにより、電気エネルギー制御装置（１０３）によって下記の制御を行う。
【００２１】
電流測定装置（１０５）によって測定した電流が予定値より低いとき、電気エネルギー制御装置（１０３）は分流制御を行うことにより、主負荷（１０１）を通過する電流を増加させる。
電流測定装置（１０５）によって測定した電流が予定値より高いとき、電気エネルギー制御装置（１０３）は分流制御を行うことにより、主負荷（１０１）を通過する電流を減少させる。
【００２２】
（第一実施形態）
図２に示すように、第一実施形態による電流制御および駆動回路は、等価インピーダンス（２００）、直流主負荷（２０１）、直流分圧負荷（２０２）、直流電子制御ユニット（２０３）、直流電圧測定装置（２０４）、および直流電流測定装置（２０５）を備える。
【００２３】
等価インピーダンス（２００）は、直流主負荷（２０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成される。上述装置を通して、等価インピーダンス（２００）を通過する電流のリップル値を下げる。第一実施形態において、等価インピーダンス（２００）はニーズによって、設置または設置されないことを選択することができる。
【００２４】
直流主負荷（２０１）は、直流またはパルスＤＣ電源により駆動される主負荷であり、直流電源を光エネルギーに変換する主負荷、直流電源を熱エネルギーに変換する主負荷、直流電源を機械エネルギーに変換する主負荷、直流電源を化学エネルギーに変換する主負荷、直流電源をサウンドエネルギーに変換する主負荷のいずれか一つ以上である。
【００２５】
直流分圧負荷（２０２）は、直流またはパルスＤＣ電源により駆動され、直流主負荷（２０１）と同じまたは異なる性質の分圧負荷であり、直流電源を光エネルギーに変換する分圧負荷、直流電源を熱エネルギーに変換する分圧負荷、直流電源を機械エネルギーに変換する分圧負荷、直流電源を化学エネルギーに変換する分圧負荷、直流電源をサウンドエネルギーに変換する分圧負荷のいずれか一つ以上であり、直流主負荷（２０１）と直列に接続され、直流電子制御ユニット（２０３）と並列に接続され、直流電源に駆動される。直流電子制御ユニット（２０３）は、直流分圧負荷（２０２）を通過する電流を受け、分流制御を行う。
【００２６】
直流電子制御ユニット（２０３）は、電気機械式オン／オフ装置、固相半導体式オン／オフ装置、または固相半導体式線形抵抗変換器により構成される。直流電源を用いて遮断制御を行うとき、直流電子制御ユニット（２０３）を稼動して変動する遮断周波数の分流制御、遮断導通時間比のＰＷＭの分流制御、同時に変動する遮断周波数及び遮断導通時間比のＰＷＭの分流制御、直流電子制御ユニット（２０３）オン／オフ式導通または遮断する分流制御、または直流電子制御ユニット（２０３）の線形抵抗値を制御することにより、直流分圧負荷（２０２）を通過する電流の分流制御を行う。
【００２７】
第一実施形態による電流制御および駆動回路の直流電子制御ユニット（２０３）が分流制御する方式は、下記のいずれか一つ以上である。
（１）直流電圧測定装置（２０４）の設置を通して制御する。（２）直流電流測定装置（２０５）の設置を通して制御する。（３）直流電圧測定装置（２０４）及び直流電流測定装置（２０５）の設置を通して制御する。（４）回路を通して分圧負荷に対して固定された分流制御を行う。（５）人力によりインタフェース装置を操作し、分圧負荷の分流制御を行う。（６）外部から信号を入力し、分圧負荷の分流制御を行う。
【００２８】
直流電圧測定装置（２０４）と直流電流測定装置（２０５）とのいずれか一つ以上を設置し、直流電子制御ユニット（２０３）は分流制御を行う。
【００２９】
直流電圧測定装置（２０４）は、電気機械式及び／または固相電子式素子により構成される直流電圧測定装置であり、直流電源電圧、直流主負荷（２０１）両端の電圧、直流電子制御ユニット（２０３）両端の電圧、および直流主負荷（２０１）と直流電子制御ユニット（２０３）とを直列に接続する総負荷の両端の電圧値のいずれかを測定することにより、直流電子制御ユニット（２０３）によって下記の制御を行う。
【００３０】
直流電圧測定装置（２０４）により測定した電圧が予定値より低いとき、直流電子制御ユニット（２０３）は分流制御を行うことにより、直流主負荷（２０１）を通過する電流を増加させる。
直流電圧測定装置（２０４）により測定した電圧が予定値より高いとき、直流電子制御ユニット（２０３）は分流制御を行うことにより、直流主負荷（２０１）を通過する電流を減少させる。
【００３１】
直流電流測定装置（２０５）は、電気機械式及び／または固相電子式素子により構成される直流電流測定装置であり、直流主負荷（２０１）、直流分圧負荷（２０２）、および直流電子制御ユニット（２０３）の中のワンウェイまたはワンウェイ以上を通過する電流値を測定することにより、直流電子制御ユニット（２０３）によって下記の制御を行う。
【００３２】
直流電流測定装置（２０５）によって測定した電流が予定値より低いとき、直流電子制御ユニット（２０３）は分流制御を行うことにより、直流主負荷（２０１）を通過する電流を増加させる。
直流電流測定装置（２０５）によって測定した電流が予定値より高いとき、直流電子制御ユニット（２０３）は分流制御を行うことにより、直流主負荷（２０１）を通過する電流を減少させる。
【００３３】
（第二実施形態）
図３に示すように、第二実施形態による電流制御および駆動回路は、等価インピーダンス（３００）、交流主負荷（３０１）、交流分圧負荷（３０２）、交流電子制御ユニット（３０３）、交流電圧測定装置（３０４）、および交流電流測定装置（３０５）を備える。
【００３４】
等価インピーダンス（３００）は、交流主負荷（３０１）と直列に接続され、誘導性インピーダンスを持つインダクタやコイルにより構成され、またはキャパシタを持つインダクタやコイルを並列接続し、及び通過するリップル電流周波数が並列共振状態である抵抗装置により構成される。抵抗装置を通して、等価インピーダンス（３００）を通過する電流のリップル値を下げる。第二実施形態において、等価インピーダンス（３００）はニーズによって、設置または設置されないことを選択することができる。
【００３５】
交流主負荷（３０１）は、交流電源により駆動される主負荷であり、交流電源を光エネルギーに変換する主負荷、交流電源を熱エネルギーに変換する主負荷、交流電源を機械エネルギーに変換する主負荷、交流電源を化学エネルギーに変換する主負荷、交流電源をサウンドエネルギーに変換する主負荷のいずれか一つ以上である。
【００３６】
交流分圧負荷（３０２）は、交流電源により駆動され、交流主負荷（３０１）と同じまたは異なる性質の分圧負荷であり、交流電源を光エネルギーに変換する分圧負荷、交流電源を熱エネルギーに変換する分圧負荷、交流電源を機械エネルギーに変換する分圧負荷、交流電源を化学エネルギーに変換する分圧負荷、交流電源をサウンドエネルギーに変換する分圧負荷のいずれか一つ以上であり、交流主負荷（３０１）と直列に接続され、交流電子制御ユニット（３０３）と並列に接続され、交流電源に駆動される。交流電子制御ユニット（３０３）は、交流分圧負荷（３０２）を通過する電流を受け、分流制御を行う。
【００３７】
交流電子制御ユニット（３０３）は、電気機械式オン／オフ装置、固相半導体式オン／オフ装置、または固相半導体式線形抵抗変換器により構成される。交流電子制御ユニット（３０３）の制御を通して、導通位相角の分流制御、交流電子制御ユニット（３０３）のオン／オフ式導通または遮断する分流制御、または交流電子制御ユニット（３０３）の線形抵抗値を制御することにより、交流電子制御ユニット（３０３）は交流分圧負荷（３０２）の電流の分流制御を行う。
【００３８】
第二実施形態による電流制御および駆動回路の交流電子制御ユニット（３０３）が分流制御する方式は、下記のいずれか一つ以上である。
（１）交流電圧測定装置（３０４）の設置を通して制御する。（２）交流電流測定装置（３０５）の設置を通して制御する。（３）交流電圧測定装置（３０４）及び交流電流測定装置（３０５）の設置を通して制御する。（４）回路を通して分圧負荷に対して固定された分流制御を行う。（５）人力によりインタフェース装置を操作し、分圧負荷の分流制御を行う。（６）外部から信号を入力し、分圧負荷の分流制御を行う。
【００３９】
交流電圧測定装置（３０４）と交流電流測定装置（３０５）とのいずれか一つ以上を設置し、交流電子制御ユニット（３０３）は分流制御を行う。
【００４０】
交流電圧測定装置（３０４）は、電気機械式及び／または固相電子式素子により構成される交流電圧測定装置であり、交流電源電圧、交流主負荷（３０１）両端の電圧、交流電子制御ユニット（３０３）両端の電圧、および交流主負荷（３０１）と交流電子制御ユニット（３０３）とを直列に接続する総負荷の両端の電圧値のいずれかを測定することにより、交流電子制御ユニット（３０３）によって下記の制御を行う。
【００４１】
交流電圧測定装置（３０４）により測定した電圧が予定値より低いとき、交流電子制御ユニット（３０３）は分流制御を行うことにより、交流主負荷（３０１）を通過する電流を増加させる。
交流電圧測定装置（３０４）により測定した電圧が予定値より高いとき、交流電子制御ユニット（３０３）は分流制御を行うことにより、交流主負荷（３０１）を通過する電流を減少させる。
【００４２】
交流電流測定装置（３０５）は、電気機械式及び／または固相電子式素子により構成される交流電流測定装置であり、交流主負荷（３０１）、交流分圧負荷（３０２）、および交流電子制御ユニット（３０３）の中のワンウェイまたはワンウェイ以上を通過する電流値を測定することにより、交流電子制御ユニット（３０３）によって下記の制御を行う。
【００４３】
交流電流測定装置（３０５）によって測定した電流が予定値より低いとき、交流電子制御ユニット（３０３）は分流制御を行うことにより、交流主負荷（３０１）を通過する電流を増加させる。
交流電流測定装置（３０５）によって測定した電流が予定値より高いとき、交流電子制御ユニット（３０３）は分流制御を行うことにより、交流主負荷（３０１）の電流を減少させる。第二実施形態による電流制御および駆動回路は、各種の電気エネルギーにより駆動される負荷に幅広く応用されることができる。
【００４４】
（第三実施形態）
図４に示すように、第三実施形態による電流制御および駆動回路は、等価インピーダンス（４００）、直流電源により駆動される主発光ダイオード（ＬＥＤ）（４０１）、直流電源により駆動される分圧発光ダイオード（ＬＥＤ）（４０２）、直流電子制御ユニット（４０３）、電圧測定装置（４０４）、および電流測定装置（４０５）を備える。
【００４５】
等価インピーダンス（４００）は、主発光ダイオード（ＬＥＤ）（４０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成される。上述装置を通して、等価インピーダンス（４００）を通過する電流のリップル値を下げる。第三実施形態において、等価インピーダンス（４００）はニーズによって、設置または設置されないことを選択することができる。
【００４６】
主発光ダイオード（ＬＥＤ）（４０１）は、一個以上の発光ダイオード（ＬＥＤ）を直列に接続、並列に接続または直並列に接続することにより構成され、直流電源またはパルスＤＣ電源の駆動を受ける。
【００４７】
分圧発光ダイオード（ＬＥＤ）（４０２）は、一個以上の発光ダイオード（ＬＥＤ）を直列に接続、並列に接続または直並列に接続することにより構成され、主発光ダイオード（ＬＥＤ）（４０１）と直列に接続され、直流電子制御ユニット（４０３）と並列に接続され、直流電源またはパルス直流電源に駆動される。直流電子制御ユニット（４０３）は、分圧発光ダイオード（ＬＥＤ）（４０２）を通過する電流を受け、分流制御を行う。
【００４８】
直流電子制御ユニット（４０３）は、電気機械式オン／オフ装置、固相半導体式オン／オフ装置、または固相半導体式線形抵抗変換器により構成され、分圧発光ダイオード（ＬＥＤ）（４０２）の両端に並列に接続される。直流電源を用いて遮断制御を行うとき、直流電子制御ユニット（４０３）を稼動して変動する遮断周波数の分流制御、遮断導通時間比のＰＷＭの分流制御、同時に変動する遮断周波数及び遮断導通時間比のＰＷＭの分流制御、直流電子制御ユニット（４０３）のオン／オフ式導通または遮断する分流制御、または直流電子制御ユニット（４０３）の線形抵抗値を制御することにより、直流電子制御ユニット（４０３）は分圧発光ダイオード（ＬＥＤ）（４０２）の電流の分流制御を行う。
【００４９】
第三実施形態による電流制御および駆動回路の直流電子制御ユニット（４０３）が分流制御する方式は、下記のいずれか一つ以上である。
（１）電圧測定装置（４０４）の設置を通して制御する。（２）電流測定装置（４０５）の設置を通して制御する。（３）電圧測定装置（４０４）及び電流測定装置（４０５）の設置を通して制御する。（４）回路を通して分圧負荷に対して固定された分流制御を行う。（５）人力によりインタフェース装置を操作し、分圧負荷の分流制御を行う。（６）外部から信号を入力し、分圧負荷の分流制御を行う。
【００５０】
電圧測定装置（４０４）と電流測定装置（４０５）とのいずれか一つ以上を設置し、直流電子制御ユニット（４０３）は分流制御を行う。
【００５１】
電圧測定装置（４０４）は、電気機械式及び／または固相電子式素子により構成される電圧測定装置であり、電源電圧、主発光ダイオード（ＬＥＤ）（４０１）両端の電圧、直流電子制御ユニット（４０３）両端の電圧、および主発光ダイオード（ＬＥＤ）（４０１）と直流電子制御ユニット（４０３）とを直列に接続する総負荷の両端の電圧値のいずれかを測定することにより、直流電子制御ユニット（４０３）によって下記の制御を行う。
【００５２】
電圧測定装置（４０４）により測定した電圧が予定値より低いとき、直流電子制御ユニット（４０３）は分流制御を行うことにより、主発光ダイオード（ＬＥＤ）（４０１）を通過する電流を増加させる。
電圧測定装置（４０４）により測定した電圧が予定値より高いとき、直流電子制御ユニット（４０３）は分流制御を行うことにより、主発光ダイオード（ＬＥＤ）（４０１）を通過する電流を減少させる。
【００５３】
電流測定装置（４０５）は、電気機械式及び／または固相電子式素子により構成される電流測定装置であり、主発光ダイオード（ＬＥＤ）（４０１）、分圧発光ダイオード（ＬＥＤ）（４０２）、および直流電子制御ユニット（４０３）の中のワンウェイまたはワンウェイ以上を通過する電流値を測定することにより、直流電子制御ユニット（４０３）によって下記の制御を行う。
【００５４】
電流測定装置（４０５）によって測定した電流が予定値より低いとき、直流電子制御ユニット（４０３）は分流制御を行うことにより、主発光ダイオード（ＬＥＤ）（４０１）を通過する電流を増加させる。
電流測定装置（４０５）によって測定した電流が予定値より高いとき、直流電子制御ユニット（４０３）は分流制御を行うことにより、主発光ダイオード（ＬＥＤ）（４０１）を通過する電流を減少させる。
【００５５】
（第四実施形態）
図５に示すように、第四実施形態による電流制御および駆動回路は、等価インピーダンス（５００）、交流電源により駆動される主交流発光ダイオード（ＬＥＤ）（５０１）、交流電源により駆動される分圧交流発光ダイオード（ＬＥＤ）（５０２）、交流電子制御ユニット（５０３）、交流電圧測定装置（５０４）、および交流電流測定装置（５０５）を備える。
【００５６】
等価インピーダンス（５００）は、主交流発光ダイオード（ＬＥＤ）（５０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成される。上述装置を通して、等価インピーダンス（５００）を通過する電流のリップル値を下げる。第四実施形態において、等価インピーダンス（５００）はニーズによって、設置または設置されないことを選択することができる。
【００５７】
主交流発光ダイオード（ＬＥＤ）（５０１）は、二個以上の発光ダイオード（ＬＥＤ）を逆極性に並列に接続することにより構成される一個以上の交流発光ダイオード（ＬＥＤ）を直列に接続、並列に接続または直並列に接続することにより構成され、交流電源の駆動を受ける。
【００５８】
分圧交流発光ダイオード（ＬＥＤ）（５０２）は、二個以上の発光ダイオード（ＬＥＤ）を逆極性に並列接続することにより構成される一個または一個以上の交流発光ダイオード（ＬＥＤ）を直列に接続、並列に接続または直並列に接続することにより構成され、主交流発光ダイオード（ＬＥＤ）（５０１）と直列に接続され、交流電子制御ユニット（５０３）と並列に接続され、交流電源に駆動される。交流電子制御ユニット（５０３）は、分圧交流発光ダイオード（ＬＥＤ）（５０２）を通過する電流を受け、分流制御を行う。
【００５９】
交流電子制御ユニット（５０３）は、電気機械式オン／オフ装置、固相半導体式オン／オフ装置、または固相半導体式線形抵抗変換器により構成され、分圧交流発光ダイオード（ＬＥＤ）（５０２）の両端に並列に接続される。交流電子制御ユニット（５０３）の制御を通して、導通位相角の分流制御、交流電子制御ユニット（５０３）のオン／オフ式導通または遮断する分流制御、または交流電子制御ユニット（５０３）の線形抵抗値を制御することにより、交流電子制御ユニット（５０３）は分圧交流発光ダイオード（ＬＥＤ）（５０２）の電流を受け、分流制御を行う。
【００６０】
第四実施形態による電流制御および駆動回路の交流電子制御ユニット（５０３）が分流制御する方式は、下記のいずれか一つ以上である。
（１）交流電圧測定装置（５０４）の設置を通して制御する。（２）交流電流測定装置（５０５）の設置を通して制御する。（３）交流電圧測定装置（５０４）及び交流電流測定装置（５０５）の設置を通して制御する。（４）回路を通して分圧負荷に対して固定された分流制御を行う。（５）人力によりインタフェース装置を操作し、分圧負荷の分流制御を行う。（６）外部から信号を入力し、分圧負荷の分流制御を行う。
【００６１】
交流電圧測定装置（５０４）と交流電流測定装置（５０５）とのいずれか一つ以上を設置し、交流電子制御ユニット（５０３）は分流制御を行う。
【００６２】
交流電圧測定装置（５０４）は、電気機械式及び／または固相電子式素子により構成される交流電圧測定装置であり、交流電源電圧、主交流発光ダイオード（ＬＥＤ）（５０１）両端の電圧、交流電子制御ユニット（５０３）両端の電圧、および主交流発光ダイオード（ＬＥＤ）（５０１）と交流電子制御ユニット（５０３）とを直列に接続する総負荷の両端の電圧値のいずれかを測定することにより、交流電子制御ユニット（５０３）によって下記の制御を行う。
【００６３】
交流電圧測定装置（５０４）により測定した電圧が予定値より低いとき、交流電子制御ユニット（５０３）は分流制御を行うことにより、主交流発光ダイオード（ＬＥＤ）（５０１）を通過する電流を増加させる。
交流電圧測定装置（５０４）により測定した電圧が予定値より高いとき、交流電子制御ユニット（５０３）は分流制御を行うことにより、主交流発光ダイオード（ＬＥＤ）（５０１）を通過する電流を減少させる。
【００６４】
交流電流測定装置（５０５）は、電気機械式及び／または固相電子式素子により構成される交流電流測定装置であり、主交流発光ダイオード（ＬＥＤ）（５０１）、分圧交流発光ダイオード（ＬＥＤ）（５０２）、および交流電子制御ユニット（５０３）の中のワンウェイまたはワンウェイ以上を通過する電流値を測定することにより、交流電子制御ユニット（５０３）によって下記の制御を行う。
【００６５】
交流電流測定装置（５０５）によって測定した電流が予定値より低いとき、交流電子制御ユニット（５０３）は分流制御を行うことにより、主交流発光ダイオード（ＬＥＤ）（５０１）を通過する電流を増加させる。
交流電流測定装置（５０５）によって測定した電流が予定値より高いとき、交流電子制御ユニット（５０３）は分流制御を行うことにより、主交流発光ダイオード（ＬＥＤ）（５０１）を通過する電流を減少させる。
【００６６】
（第五実施形態）
図６に示すように、第五実施形態による電流制御および駆動回路は、等価インピーダンス（６００）、交流または直流電源により駆動される電熱主負荷（６０１）、交流または直流電源により駆動される分圧電熱負荷（６０２）、電気エネルギー制御装置（６０３）、電圧測定装置（６０４）、および電流測定装置（６０５）を備える。
等価インピーダンス（６００）は、電熱主負荷（６０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成される。上述装置を通して、等価インピーダンス（６００）を通過する電流のリップル値を下げる。第五実施形態において、等価インピーダンス（６００）はニーズによって、設置または設置されないことを選択することができる。
【００６７】
電熱主負荷（６０１）は、交流または直流電源駆動の電気エネルギーを熱エネルギーに変換する主負荷により構成される。
【００６８】
分圧電熱負荷（６０２）は、交流または直流電源駆動の電気エネルギーを熱エネルギーに変換する電熱分圧負荷により構成され、電熱主負荷（６０１）と直列に接続され、電気エネルギー制御装置（６０３）と並列に接続され、電源の駆動を受ける。電気エネルギー制御装置（６０３）は、分圧電熱負荷（６０２）を通過する電流を受け、分流制御を行う。
【００６９】
電気エネルギー制御装置（６０３）は、電気機械式オン／オフ装置、固相半導体式オン／オフ装置、または固相半導体式線形抵抗変換器により構成される交流または直流電源制御装置である。直流電源に対して遮断制御を行うとき、電気エネルギー制御装置（６０３）を稼動して変動する遮断周波数の分流制御、遮断導通時間比のＰＷＭの分流制御、または同時に変動する遮断周波数及び遮断導通時間比のＰＷＭの分流制御を行う。二方向に周期的に交流の極性反転電源を用いるとき、電気エネルギー制御装置（６０３）を制御して、導通位相角の分流制御を行う。直流電源または二方向に周期的に交流の極性反転電源を用いるとき、電気エネルギー制御装置（６０３）のオン／オフ式導通または遮断する分流制御、または電気エネルギー制御装置（６０３）の線形抵抗値を制御することにより、電気エネルギー制御装置（６０３）は分圧電熱負荷（６０２）の電流の分流制御を行う。
【００７０】
第五実施形態による電流制御および駆動回路の電気エネルギー制御装置（６０３）が分流制御する方式は、下記のいずれか一つ以上である。
（１）電圧測定装置（６０４）の設置を通して制御する。（２）電流測定装置（６０５）の設置を通して制御する。（３）電圧測定装置（６０４）及び電流測定装置（６０５）の設置を通して制御する。（４）回路を通して分圧負荷に対して固定された分流制御を行う。（５）人力によりインタフェース装置を操作し、分圧負荷の分流制御を行う。（６）外部から信号を入力し、分圧負荷の分流制御を行う。
【００７１】
電圧測定装置（６０４）と電流測定装置（６０５）とのいずれか一つ以上を設置し、電気エネルギー制御装置（６０３）は分流制御を行う。
【００７２】
電圧測定装置（６０４）は、電気機械式及び／または固相電子式素子により構成される電圧測定装置であり、電源電圧、電熱主負荷（６０１）両端の電圧、電気エネルギー制御装置（６０３）両端の電圧、および電熱主負荷（６０１）と電気エネルギー制御装置（６０３）とを直列に接続する総負荷の両端の電圧値のいずれかを測定することにより、電気エネルギー制御装置（６０３）によって下記の制御を行う。
【００７３】
電圧測定装置（６０４）により測定した電圧が予定値より低いとき、電気エネルギー制御装置（６０３）は分流制御を行うことにより、電熱主負荷（６０１）を通過する電流を増加させる。
電圧測定装置（６０４）により測定した電圧が予定値より高いとき、電気エネルギー制御装置（６０３）は分流制御を行うことにより、電熱主負荷（６０１）を通過する電流を減少させる。
【００７４】
電流測定装置（６０５）は、電気機械式及び／または固相電子式素子により構成される電流測定装置であり、電熱主負荷（６０１）、分圧電熱負荷（６０２）、および電気エネルギー制御装置（６０３）の中のワンウェイまたはワンウェイ以上を通過する電流値を測定することにより、電気エネルギー制御装置（６０３）によって下記の制御を行う。
【００７５】
電流測定装置（６０５）によって測定した電流が予定値より低いとき、電気エネルギー制御装置（６０３）は分流制御を行うことにより、電熱主負荷（６０１）を通過する電流を増加させる。
電流測定装置（６０５）によって測定した電流が予定値より高いとき、電気エネルギー制御装置（６０３）は分流制御を行うことにより、電熱主負荷（６０１）を通過する電流を減少させる。
【００７６】
（第六実施形態）
図７に示すように、第六実施形態による電流制御および駆動回路は、等価インピーダンス（７００）、直流電源に駆動される直流主負荷（７０１）、分圧素子とする分圧ツェナーダイオード（７０２）、直流電子制御ユニット（７０３）、直流電圧測定装置（７０４）、および直流電流測定装置（７０５）を備える。
【００７７】
等価インピーダンス（７００）は、直流主負荷（７０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成される。上述装置を通して、等価インピーダンス（７００）を通過する電流のリップル値を下げる。第六実施形態において、等価インピーダンス（７００）はニーズによって、設置または設置されないことを選択することができる。
【００７８】
直流主負荷（７０１）は、直流またはパルスＤＣ電源に駆動される主負荷、直流電源を光エネルギーに変換する主負荷、直流電源を熱エネルギーに変換する主負荷、直流電源を機械エネルギーに変換する主負荷、直流電源を化学エネルギーに変換する主負荷、直流電源をサウンドエネルギーに変換する主負荷のいずれか一つ以上である。
【００７９】
分圧ツェナーダイオード（７０２）は、一個以上のツェナーダイオードを直列に接続、並列に接続または直並列に接続することにより構成され、直流主負荷（７０１）と直列に接続され、直流電子制御ユニット（７０３）と並列に接続され、直流電源またはパルス直流電源に駆動される。直流電子制御ユニット（７０３）は、分圧ツェナーダイオード（７０２）を通過する電流を受け、分流制御を行う。
【００８０】
直流電子制御ユニット（７０３）は、電気機械式オン／オフ装置、固相半導体式オン／オフ装置、または固相半導体式線形抵抗変換器により構成され、分圧ツェナーダイオード（７０２）の両端に並列接続される。直流電源を用いて遮断制御を行うとき、直流電子制御ユニット（７０３）を稼動して変動する遮断周波数の分流制御、遮断導通時間比のＰＷＭの分流制御、同時に変動する遮断周波数及び遮断導通時間比のＰＷＭの分流制御、直流電子制御ユニット（７０３）のオン／オフ式導通または遮断する分流制御、または直流電子制御ユニット（７０３）の線形抵抗値を制御することにより、直流電子制御ユニット（７０３）は分圧ツェナーダイオード（７０２）の電流の分流制御を行う。
【００８１】
第六実施形態による電流制御および駆動回路の直流電子制御ユニット（７０３）が分流制御する方式は、下記のいずれか一つ以上である。
（１）直流電圧測定装置（７０４）の設置を通して制御する。（２）直流電流測定装置（７０５）の設置を通して制御する。（３）直流電圧測定装置（７０４）及び直流電流測定装置（７０５）の設置を通して制御する。（４）回路を通して分圧負荷に対して固定された分流制御を行う。（５）人力によりインタフェース装置を操作し、分圧負荷の分流制御を行う。（６）外部から信号を入力し、分圧負荷の分流制御を行う。
【００８２】
直流電圧測定装置（７０４）と直流電流測定装置（７０５）とのいずれか一つ以上を設置し、直流電子制御ユニット（７０３）は分流制御を行う。
【００８３】
直流電圧測定装置（７０４）は、電気機械式及び／または固相電子式素子により構成される電圧測定装置であり、電源電圧、直流主負荷（７０１）両端の電圧、直流電子制御ユニット（７０３）両端の電圧、および直流主負荷（７０１）と直流電子制御ユニット（７０３）とを直列に接続する総負荷の両端の電圧値のいずれかを測定することにより、直流電子制御ユニット（７０３）によって下記の制御を行う。
【００８４】
直流電圧測定装置（７０４）により測定した電圧が予定値より低いとき、直流電子制御ユニット（７０３）は分流制御を行うことにより、直流主負荷（７０１）を通過する電流を増加させる。
直流電圧測定装置（７０４）により測定した電圧が予定値より高いとき、直流電子制御ユニット（７０３）は分流制御を行うことにより、直流主負荷（７０１）を通過する電流を減少させる。
【００８５】
直流電流測定装置（７０５）は、電気機械式及び／または固相電子式素子により構成される電流測定装置であり、直流主負荷（７０１）、分圧ツェナーダイオード（７０２）、および直流電子制御ユニット（７０３）の中のワンウェイまたはワンウェイ以上を通過する電流値を測定することにより、直流電子制御ユニット（７０３）によって下記の制御を行う。
【００８６】
直流電流測定装置（７０５）によって測定した電流が予定値より低いとき、直流電子制御ユニット（７０３）は分流制御を行うことにより、直流主負荷（７０１）を通過する電流を増加させる。
直流電流測定装置（７０５）によって測定した電流が予定値より高いとき、直流電子制御ユニット（７０３）は分流制御を行うことにより、直流主負荷（７０１）の電流を減少する。
【００８７】
（第七実施形態）
図８に示すように、第七実施形態による電流制御および駆動回路は、等価インピーダンス（８００）、交流電源に駆動される交流主負荷（８０１）、分圧素子とする分圧二方向ツェナーダイオード（８０２）、交流電子制御ユニット（８０３）、交流電圧測定装置（８０４）、および交流電流測定装置（８０５）を備える。
【００８８】
等価インピーダンス（８００）は、交流主負荷（８０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成される。上述装置を通して、等価インピーダンス（８００）を通過する電流のリップル値を下げる。第七実施形態において、等価インピーダンス（８００）はニーズによって、設置または設置されないことを選択することができる。
【００８９】
交流主負荷（８０１）は、交流電源により駆動される主負荷であり、交流電源を光エネルギーに変換する主負荷、交流電源を熱エネルギーに変換する主負荷、交流電源を機械エネルギーに変換する主負荷、交流電源を化学エネルギーに変換する主負荷、交流電源をサウンドエネルギーに変換する主負荷のいずれか一つ以上である。
【００９０】
分圧二方向ツェナーダイオード（８０２）は、二個以上のツェナーダイオードの異なる作動極性を並列接続しまたは直列に接続することにより構成され、交流主負荷（８０１）と直列に接続され、交流電子制御ユニット（８０３）と並列に接続され、交流電源に駆動される。交流電子制御ユニット（８０３）は、分圧二方向ツェナーダイオード（８０２）を通過する電流を受け、分流制御を行う。
【００９１】
交流電子制御ユニット（８０３）は、電気機械式オン／オフ装置、固相半導体式オン／オフ装置、または固相半導体式線形抵抗変換器により構成され、分圧二方向ツェナーダイオード（８０２）の両端に並列接続される。交流電子制御ユニット（８０３）の制御を通して、導通位相角の分流制御、交流電子制御ユニット（８０３）のオン／オフ式導通または遮断する分流制御、または交流電子制御ユニット（８０３）の線形抵抗値を制御することにより、交流電子制御ユニット（８０３）は分圧二方向ツェナーダイオード（８０２）の電流の分流制御を行う。
【００９２】
第七実施形態による電流制御および駆動回路の交流電子制御ユニット（８０３）が分流制御する方式は、下記のいずれか一つ以上である。
（１）交流電圧測定装置（８０４）の設置を通して制御する。（２）交流電流測定装置（８０５）の設置を通して制御する。（３）交流電圧測定装置（８０４）及び交流電流測定装置（８０５）の設置を通して制御する。（４）回路を通して分圧負荷に対して固定された分流制御を行う。（５）人力によりインタフェース装置を操作し、分圧負荷の分流制御を行う。（６）外部から信号を入力し、分圧負荷の分流制御を行う。
【００９３】
交流電圧測定装置（８０４）と交流電流測定装置（８０５）とのいずれか一つ以上を設置し、交流電子制御ユニット（８０３）は分流制御を行う。
【００９４】
交流電圧測定装置（８０４）は、電気機械式及び／または固相電子式素子により構成される交流電圧測定装置であり、交流電源電圧、交流主負荷（８０１）両端の電圧、交流電子制御ユニット（８０３）両端の電圧、および交流主負荷（８０１）と交流電子制御ユニット（８０３）とを直列に接続する総負荷の両端の電圧値のいずれかを測定することにより、交流電子制御ユニット（８０３）によって下記の制御を行う。
【００９５】
交流電圧測定装置（８０４）により測定した電圧が予定値より低いとき、交流電子制御ユニット（８０３）は分流制御を行うことにより、交流主負荷（８０１）を通過する電流を増加させる。
交流電圧測定装置（８０４）により測定した電圧が予定値より高いとき、交流電源制御装置（８０３）は分流制御を行うことにより、主交流主負荷（８０１）を通過する電流を減少させる。
【００９６】
交流電流測定装置（８０５）は、電気機械式及び／または固相電子式素子により構成される交流電流測定装置であり、交流主負荷（８０１）、分圧二方向ツェナーダイオード（８０２）、および交流電子制御ユニット（８０３）の中のワンウェイまたはワンウェイ以上を通過する電流値を測定することにより、交流電子制御ユニット（８０３）によって下記の制御を行う。
【００９７】
交流電流測定装置（８０５）によって測定した電流が予定値より低いとき、交流電子制御ユニット（８０３）は分流制御を行うことにより、交流主負荷（８０１）を通過する電流を増加させる。または、
交流電流測定装置（８０５）によって測定した電流が予定値より高いとき、交流電子制御ユニット（８０３）は分流制御を行うことにより、交流主負荷（８０１）を通過する電流を減少させる。
【００９８】
（第八実施形態）
図９に示すように、第八実施形態による電流制御および駆動回路は、等価インピーダンス（９００）、交流または直流電源に駆動される交流直流両用の主負荷（９０１）、交流電源と直流電源とを切り換える整流ダイオード（９０２）、電気エネルギー制御装置（９０３）、電圧測定装置（９０４）、および電流測定装置（９０５）を備える。
【００９９】
等価インピーダンス（９００）は、交流直流両用の主負荷（９０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成される。上述装置を通して、等価インピーダンス（９００）を通過する電流のリップル値を下げる。第八実施形態において、等価インピーダンス（９００）はニーズによって、設置または設置されないことを選択することができる。
【０１００】
交流直流両用の主負荷（９０１）は、交流または直流電源駆動の主負荷、交流または直流電源を光エネルギーに変換する主負荷、交流電または直流能を熱エネルギーに変換する主負荷、交流または直流電源を機械エネルギーに変換する主負荷、交流または直流電源を化学エネルギーに変換する主負荷、交流または直流電源をサウンドエネルギーに変換する主負荷のいずれか一つ以上である。
【０１０１】
整流ダイオード（９０２）は、一個以上の整流ダイオードを直列に接続、並列に接続または直並列に接続することにより構成され、交流直流両用の主負荷（９０１）と直列に接続され、電気エネルギー制御装置（９０３）と並列に接続され、交流電源を半波整流して直流へ切換え、分圧素子とする。電気エネルギー制御装置（９０３）は、整流ダイオード（９０２）に隔離される別の流向の電流を受け、分流制御を行う。
【０１０２】
電気エネルギー制御装置（９０３）は、電気機械式オン／オフ装置、固相半導体式オン／オフ装置、または固相半導体式線形抵抗変換器により構成される。直流電源を用いて遮断制御を行うとき、電気エネルギー制御装置（９０３）を稼動して電気エネルギー制御装置（９０３）変動する遮断周波数の分流制御、遮断導通時間比のＰＷＭの分流制御、または同時に変動する遮断周波数及び遮断導通時間比のＰＷＭの分流制御を行う。二方向に周期的に交流の極性反転電源を用いるとき、電気エネルギー制御装置（９０３）の制御を通して、導通位相角の分流制御を行う。
【０１０３】
直流電源または二方向に周期的に交流の極性反転電源を用いるとき、電気エネルギー制御装置（９０３）のオン／オフ式導通または遮断する分流制御、または電気エネルギー制御装置（９０３）の線形抵抗値を制御することにより、電気エネルギー制御装置（９０３）は、整流ダイオード（９０２）の電流及び整流ダイオード（９０２）に隔離される別の流向の電流の分流制御を行う。
【０１０４】
第八実施形態による電流制御および駆動回路の電気エネルギー制御装置（９０３）が分流制御する方式は、下記のいずれか一つ以上である。
（１）電圧測定装置（９０４）の設置を通して制御する。（２）電流測定装置（９０５）の設置を通して制御する。（３）電圧測定装置（９０４）及び電流測定装置（９０５）の設置を通して制御する。（４）回路を通して分圧負荷に対して固定された分流制御を行う。（５）人力によりインタフェース装置を操作し、分圧負荷の分流制御を行う。（６）外部から信号を入力し、分圧負荷の分流制御を行う。
【０１０５】
電圧測定装置（９０４）と電流測定装置（９０５）とのいずれか一つ以上を設置し、電気エネルギー制御装置（９０３）は分流制御を行う。
【０１０６】
電圧測定装置（９０４）は、電気機械式及び／または固相電子式素子により構成される電圧測定装置であり、電源電圧、交流直流両用の主負荷（９０１）両端の電圧、電気エネルギー制御装置（９０３）両端の電圧、および交流直流両用の主負荷（９０１）と電気エネルギー制御装置（９０３）とを直列に接続する総負荷の両端の電圧値のいずれかを測定することにより、電気エネルギー制御装置（９０３）によって下記の制御を行う。
【０１０７】
電圧測定装置（９０４）により測定した電圧が予定値より低いとき、電気エネルギー制御装置（９０３）は分流制御を行うことにより、交流直流両用の主負荷（９０１）を通過する電流を増加させる。
電圧測定装置（９０４）により測定した電圧が予定値より高いとき、電気エネルギー制御装置（９０３）は分流制御を行うことにより、交流直流両用の主負荷（９０１）を通過する電流を減少させる。
【０１０８】
電流測定装置（９０５）は、電気機械式及び／または固相電子式素子により構成される交流電流測定装置であり、交流直流両用の主負荷（９０１）、整流ダイオード（９０２）、および電気エネルギー制御装置（９０３）の中のワンウェイまたはワンウェイ以上を通過する電流値を測定することにより、電気エネルギー制御装置（９０３）によって下記の制御を行う。
【０１０９】
電流測定装置（９０５）によって測定した電流が予定値より低いとき、電気エネルギー制御装置（９０３）は分流制御を行うことにより、交流直流両用の主負荷（９０１）を通過する電流を増加させる。
電流測定装置（９０５）によって測定した電流が予定値より高いとき、電気エネルギー制御装置（９０３）は分流制御を行うことにより、交流直流両用の主負荷（９０１）を通過する電流を減少させる。
【０１１０】
（第九実施形態）
図１０に示すように、第九実施形態による電流制御および駆動回路は、等価インピーダンス（１０００）、交流または直流電源に駆動される主負荷（１００１）、分圧素子とする分圧抵抗（１００２）、電気エネルギー制御装置（１００３）、電圧測定装置（１００４）、および電流測定装置（１００５）を備える。
【０１１１】
等価インピーダンス（１０００）は、主負荷（１００１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成される。上述装置を通して、等価インピーダンス（１０００）を通過する電流のリップル値を下げる。第九実施形態において、等価インピーダンス（１０００）はニーズによって、設置または設置されないことを選択することができる。
【０１１２】
主負荷（１００１）は、交流、直流、またはパルスＤＣ電源により駆動される主負荷であり、電気エネルギーを光エネルギーに変換する主負荷、電気エネルギーを熱エネルギーに変換する主負荷、電気エネルギーを機械エネルギーに変換する主負荷、電気エネルギーを化学エネルギーに変換する主負荷、電気エネルギーをサウンドエネルギーに変換する主負荷のいずれか一つ以上である。
【０１１３】
分圧抵抗（１００２）は、交流、直流、またはパルスＤＣ電源を通過する抵抗性抵抗素子のいずれか一つ以上であり、主負荷（１００１）と直列に接続され、電気エネルギー制御装置（１００３）と並列に接続される。電気エネルギー制御装置（１００３）は、分圧抵抗（１００２）の電流を受け、分流制御を行う。
【０１１４】
電気エネルギー制御装置（１００３）は、電気機械式オン／オフ装置、固相半導体式オン／オフ装置、または固相半導体式線形抵抗変換器により構成される。直流電源を用いて遮断制御を行うとき、電気エネルギー制御装置（１００３）を稼動して変動する遮断周波数の分流制御、遮断導通時間比のＰＷＭの分流制御、または同時に変動する遮断周波数及び遮断導通時間比のＰＷＭの分流制御を行う。二方向に周期的に交流の極性反転電源を用いるとき、電気エネルギー制御装置（１００３）の制御を通して、導通位相角の分流制御を行う。直流電源または二方向に周期的に交流の極性反転電源を用いるとき、電気エネルギー制御装置（１００３）のオン／オフ式導通または遮断する分流制御、または電気エネルギー制御装置（１００３）の線形抵抗値を制御することにより、電気エネルギー制御装置（１００３）は分圧抵抗（１００２）の電流の分流制御を行う。
【０１１５】
第九実施形態による電流制御および駆動回路の電気エネルギー制御装置（１００３）が分流制御する方式は、下記のいずれか一つ以上である。
（１）電圧測定装置（１００４）の設置を通して制御する。（２）電流測定装置（１００５）の設置を通して制御する。（３）電圧測定装置（１００４）及び電流測定装置（１００５）の設置を通して制御する。（４）回路を通して分圧負荷に対して固定された分流制御を行う。（５）人力によりインタフェース装置を操作し、分圧負荷の分流制御を行う。（６）外部から信号を入力し、分圧負荷の分流制御を行う。
【０１１６】
電圧測定装置（１００４）と電流測定装置（１００５）とのいずれか一つ以上を設置し、電気エネルギー制御装置（１００３）は分流制御を行う。
【０１１７】
電圧測定装置（１００４）は、電気機械式及び／または固相電子式素子により構成される電圧測定装置であり、電源電圧、主負荷（１００１）両端の電圧、電気エネルギー制御装置（１００３）両端の電圧、および主負荷（１００１）と電気エネルギー制御装置（１００３）とを直列に接続する総負荷の両端の電圧値のいずれかを測定することにより、電気エネルギー制御装置（１００３）によって下記の制御を行う。
【０１１８】
電圧測定装置（１００４）により測定した電圧が予定値より低いとき、電気エネルギー制御装置（１００３）は分流制御を行うことにより、主負荷（１００１）を通過する電流を増加させ。
電圧測定装置（１００４）により測定した電圧が予定値より高いとき、電気エネルギー制御装置（１００３）は分流制御を行うことにより、主負荷（１００１）を通過する電流を減少させる。
【０１１９】
電流測定装置（１００５）は、電気機械式及び／または固相電子式素子により構成される電流測定装置であり、主負荷（１００１）、分圧抵抗（１００２）、および電気エネルギー制御装置（１００３）の中のワンウェイまたはワンウェイ以上を通過する電流値を測定することにより、電気エネルギー制御装置（１００３）によって下記の制御を行う。
【０１２０】
電流測定装置（１００５）によって測定した電流が予定値より低いとき、電気エネルギー制御装置（１００３）は分流制御を行うことにより、主負荷（１００１）を通過する電流を増加させる。
電流測定装置（１００５）によって測定した電流が予定値より高いとき、電気エネルギー制御装置（１００３）は分流制御を行うことにより、主負荷（１００１）を通過する電流を減少させる。
【０１２１】
（第十実施形態）
図１１に示すように、第十実施形態による電流制御および駆動回路は、等価インピーダンス（１１００）、直流電源に駆動される主負荷（１１０１）、分圧素子とする誘導性分圧抵抗素子（１１０２）、直流電子制御ユニット（１１０３）、電圧測定装置（１１０４）、電流測定装置（１１０５）、フライホイールダイオード（１１０６）、および主負荷（１１０１）と直列に接続される隔離ダイオード（１１０７）を備える。
【０１２２】
等価インピーダンス（１１００）は、主負荷（１１０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成される。上述装置を通して、等価インピーダンス（１１００）を通過する電流のリップル値を下げる。第十実施形態において、等価インピーダンス（１１００）はニーズによって、設置または設置されないことを選択することができる。
【０１２３】
主負荷（１１０１）は、直流またはパルスＤＣ電源により駆動される主負荷であり、電気エネルギーを光エネルギーに変換する主負荷、電気エネルギーを熱エネルギーに変換する主負荷、電気エネルギーを機械エネルギーに変換する主負荷、電気エネルギーを化学エネルギーに変換する主負荷、電気エネルギーをサウンドエネルギーに変換する主負荷のいずれか一つ以上である。
【０１２４】
誘導性分圧抵抗素子（１１０２）は、一個以上の直流、またはパルスを通過するＤＣ電源の誘導性インピーダンス素子であり、隔離ダイオード（１１０７）と主負荷（１１０１）とに順極性直列に接続され、隔離ダイオード（１１０７）と直列に接続された後の両端が直流電子制御ユニット（１１０３）と並列に接続される。直流電子制御ユニット（１１０３）は、誘導性分圧抵抗素子（１１０２）を通過する電流を受け、分流制御を行う。
【０１２５】
フライホイールダイオード（１１０６）は、ダイオードまたは高速ダイオードにより構成され、誘導性分圧抵抗素子（１１０２）と逆極性並列に接続される。
【０１２６】
隔離ダイオード（１１０７）は、ダイオードまたは高速ダイオードにより構成され、誘導性分圧抵抗素子（１１０２）に順極性直列に接続される。
【０１２７】
直流電子制御ユニット（１１０３）は、電気機械式オン／オフ装置、固相半導体式オン／オフ装置、または固相半導体式線形抵抗変換器により構成される。直流電源を用いて遮断制御を行うとき、直流電子制御ユニット（１１０３）を稼動して変動する遮断周波数の分流制御、遮断導通時間比のＰＷＭの分流制御、同時に変動する遮断周波数及び遮断導通時間比のＰＷＭの分流制御、直流電子制御ユニット（１１０３）のオン／オフ式導通または遮断する分流制御、または直流電子制御ユニット（１１０３）の線形抵抗値を制御することにより、直流電子制御ユニット（１１０３）は誘導性分圧抵抗素子（１１０２）の電流の分流制御を行う。
【０１２８】
第十実施形態による電流制御および駆動回路の直流電子制御ユニット（１１０３）が分流制御する方式は、下記のいずれか一つ以上である。
（１）電圧測定装置（１１０４）の設置を通して制御する。（２）電流測定装置（１１０５）の設置を通して制御する。（３）電圧測定装置（１１０４）及び電流測定装置（１１０５）の設置を通して制御する。（４）回路を通して分圧負荷に対して固定された分流制御を行う。（５）人力によりインタフェース装置を操作し、分圧負荷の分流制御を行う。（６）外部から信号を入力し、分圧負荷の分流制御を行う。
【０１２９】
電圧測定装置（１１０４）と電流測定装置（１１０５）とのいずれか一つ以上を設置し、直流電子制御ユニット（１１０３）は分流制御を行う。
【０１３０】
電圧測定装置（１１０４）は、電気機械式及び／または固相電子式素子により構成される電圧測定装置であり、電源電圧、主負荷（１１０１）両端の電圧、直流電子制御ユニット（１１０３）両端の電圧、および主負荷（１１０１）と直流電子制御ユニット（１１０３）とを直列に接続する総負荷の両端の電圧値のいずれかを測定することにより、直流電子制御ユニット（１１０３）によって下記の制御を行う。
【０１３１】
電圧測定装置（１１０４）により測定した電圧が予定値より低いとき、直流電子制御ユニット（１１０３）は分流制御を行うことにより、主負荷（１１０１）を通過する電流を増加させる。
電圧測定装置（１１０４）により測定した電圧が予定値より高いとき、直流電子制御ユニット（１１０３）は分流制御を行うことにより、主負荷（１１０１）を通過する電流を減少させる。
【０１３２】
電流測定装置（１１０５）は、電気機械式及び／または固相電子式素子により構成される電流測定装置であり、主負荷（１１０１）、誘導性分圧抵抗素子（１１０２）、および直流電子制御ユニット（１１０３）の中のワンウェイまたはワンウェイ以上を通過する電流値を測定することにより、直流電子制御ユニット（１１０３）によって下記の制御を行う。
【０１３３】
電流測定装置（１１０５）によって測定した電流が予定値より低いとき、直流電子制御ユニット（１１０３）は分流制御を行うことにより、主負荷（１１０１）を通過する電流を増加させる。
電流測定装置（１１０５）によって測定した電流が予定値より高いとき、直流電子制御ユニット（１１０３）は分流制御を行うことにより、主負荷（１１０１）を通過する電流を減少させる。
【０１３４】
（第十一実施形態）
図１２に示すように、第十一実施形態による電流制御および駆動回路は、等価インピーダンス（１２００）、直流電源に駆動される主負荷（１２０１）、分圧抵抗素子（１２０２）、直流電子制御ユニット（１２０３）、電圧測定装置（１２０４）、電流測定装置（１２０５）、フライホイールダイオード（１２０６）、および主負荷（１２０１）と直列に接続される隔離ダイオード（１２０７）を備える。
【０１３５】
等価インピーダンス（１２００）は、主負荷（１２０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成される。上述装置を通して、等価インピーダンス（１２００）を通過する電流のリップル値を下げる。第十一実施形態において、等価インピーダンス（１２００）はニーズによって、設置または設置されないことを選択することができる。
【０１３６】
主負荷（１２０１）は、直流またはパルスＤＣ電源により駆動される主負荷であり、電気エネルギーを光エネルギーに変換する主負荷、電気エネルギーを熱エネルギーに変換する主負荷、電気エネルギーを機械エネルギーに変換する主負荷、電気エネルギーを化学エネルギーに変換する主負荷、電気エネルギーをサウンドエネルギーに変換する主負荷のいずれか一つ以上である。
【０１３７】
分圧抵抗素子（１２０２）は、一個以上の直流、またはパルスＤＣ電源を通過させる誘導性インピーダンス素子（１２０２１）と抵抗（１２０２２）とを直列接続することにより構成され、隔離ダイオード（１２０７）と主負荷（１２０１）とに順極性直列に接続され、隔離ダイオード（１２０７）と直列に接続された後の両端が直流電子制御ユニット（１２０３）と並列に接続される。直流電子制御ユニット（１２０３）は、分圧抵抗素子（１２０２）を通過する電流を受け、分流制御を行う。
【０１３８】
フライホイールダイオード（１２０６）は、ダイオードまたは高速ダイオードにより構成され、分圧抵抗素子（１２０２）と逆極性並列に接続される。
【０１３９】
隔離ダイオード（１２０７）は、ダイオードまたは高速ダイオードにより構成され、分圧抵抗素子（１２０２）に順極性直列に接続される。
【０１４０】
直流電子制御ユニット（１２０３）は、電気機械式オン／オフ装置、固相半導体式オン／オフ装置、または固相半導体式線形抵抗変換器により構成される。直流電源を用いて遮断制御を行うとき、直流電子制御ユニット（１２０３）を稼動して変動する遮断周波数の分流制御、遮断導通時間比のＰＷＭの分流制御、同時に変動する遮断周波数及び遮断導通時間比のＰＷＭの分流制御、直流電子制御ユニット（１２０３）のオン／オフ式導通または遮断する分流制御、または直流電子制御ユニット（１２０３）の線形抵抗値を制御することにより、直流電子制御ユニット（１２０３）は分圧抵抗素子（１２０２）の電流の分流制御を行う。
【０１４１】
第十一実施形態による電流制御および駆動回路の直流電子制御ユニット（１２０３）が分流制御する方式は、下記のいずれか一つ以上である。
（１）電圧測定装置（１２０４）の設置を通して制御する。（２）電流測定装置（１２０５）の設置を通して制御する。（３）電圧測定装置（１２０４）及び電流測定装置（１２０５）の設置を通して制御する。（４）回路を通して分圧負荷に対して固定された分流制御を行う。（５）人力によりインタフェース装置を操作し、分圧負荷の分流制御を行う。（６）外部から信号を入力し、分圧負荷の分流制御を行う。
【０１４２】
電圧測定装置（１２０４）と電流測定装置（１２０５）とのいずれか一つ以上を設置し、直流電子制御ユニット（１２０３）は分流制御を行う。
【０１４３】
電圧測定装置（１２０４）は、電気機械式及び／または固相電子式素子により構成される電圧測定装置であり、電源電圧、主負荷（１２０１）両端の電圧、直流電子制御ユニット（１２０３）両端の電圧、および主負荷（１２０１）と直流電子制御ユニット（１２０３）とを直列に接続する総負荷の両端の電圧値のいずれかを測定することにより、直流電子制御ユニット（１２０３）によって下記の制御を行う。
【０１４４】
電圧測定装置（１２０４）により測定した電圧が予定値より低いとき、直流電子制御ユニット（１２０３）は分流制御を行うことにより、主負荷（１２０１）を通過する電流を増加させる。
電圧測定装置（１２０４）により測定した電圧が予定値より高いとき、直流電子制御ユニット（１２０３）は分流制御を行うことにより、主負荷（１２０１）を通過する電流を減少させる。
【０１４５】
電流測定装置（１２０５）は、電気機械式及び／または固相電子式素子により構成される電流測定装置であり、主負荷（１２０１）、インダクタを直列接続する抵抗の分圧抵抗素子（１２０２）、および直流電子制御ユニット（１２０３）の中のワンウェイまたはワンウェイ以上を通過する電流値を測定することにより、直流電子制御ユニット（１２０３）によって下記の制御を行う。
【０１４６】
電流測定装置（１２０５）によって測定した電流が予定値より低いとき、直流電子制御ユニット（１２０３）は分流制御を行うことにより、主負荷（１２０１）を通過する電流を増加させる。
電流測定装置（１２０５）によって測定した電流が予定値より高いとき、直流電子制御ユニット（１２０３）は分流制御を行うことにより、主負荷（１２０１）を通過する電流を減少させる。
【０１４７】
（第十二実施形態）
図１３に示すように、第十二実施形態による電流制御および駆動回路は、等価インピーダンス（１３００）、直流電源に駆動される主負荷（１３０１）、分圧抵抗素子（１３０２）、直流電子制御ユニット（１３０３）、電圧測定装置（１３０４）、電流測定装置（１３０５）、フライホイールダイオード（１３０６）、および主負荷（１３０１）と直列に接続される隔離ダイオード（１３０７）を備える。
【０１４８】
等価インピーダンス（１３００）は、主負荷（１３０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成される。上述装置を通して、等価インピーダンス（１３００）を通過する電流のリップル値を下げる。第十二実施形態において、等価インピーダンス（１３００）はニーズによって、設置または設置されないことを選択することができる。
【０１４９】
主負荷（１３０１）は、直流またはパルスＤＣ電源により駆動される主負荷であり、電気エネルギーを光エネルギーに変換する主負荷、電気エネルギーを熱エネルギーに変換する主負荷、電気エネルギーを機械エネルギーに変換する主負荷、電気エネルギーを化学エネルギーに変換する主負荷、電気エネルギーをサウンドエネルギーに変換する主負荷のいずれか一つ以上である。
【０１５０】
分圧抵抗素子（１３０２）は、一個以上の直流、またはパルスＤＣ電源を通過させる誘導性インピーダンス素子（１３０２１）とＬＥＤ（１３０２３）とを直列接続することにより構成され、隔離ダイオード（１３０７）と主負荷（１３０１）とに順極性直列に接続され、隔離ダイオード（１３０７）と直列に接続された後の両端が直流電子制御ユニット（１３０３）と並列接続される。直流電子制御ユニット（１３０３）は、分圧抵抗素子（１３０２）を通過する電流を受け、分流制御を行う。
【０１５１】
フライホイールダイオード（１３０６）は、ダイオードまたは高速ダイオードにより構成され、分圧抵抗素子（１３０２）と隔離ダイオード（１３０７）とが直列接続された後の両端に逆極性並列に接続される。
【０１５２】
隔離ダイオード（１３０７）は、ダイオードまたは高速ダイオードにより構成され、分圧抵抗素子（１３０２）に順極性直列に接続される。
【０１５３】
直流電子制御ユニット（１３０３）は、電気機械式オン／オフ装置、固相半導体式オン／オフ装置、または固相半導体式線形抵抗変換器により構成される。直流電源を用いて遮断制御を行うとき、直流電子制御ユニット（１３０３）を稼動して変動する遮断周波数の分流制御、遮断導通時間比のＰＷＭの分流制御、同時に変動する遮断周波数及び遮断導通時間比のＰＷＭの分流制御、直流電子制御ユニット（１３０３）のオン／オフ式導通または遮断する分流制御、または直流電子制御ユニット（１３０３）の線形抵抗値を制御することにより、直流電子制御ユニット（１３０３）は分圧抵抗素子（１３０２）の電流の分流制御を行う。
【０１５４】
第十二実施形態による電流制御および駆動回路の直流電子制御ユニット（１３０３）が分流制御する方式は、下記のいずれか一つ以上である。
（１）電圧測定装置（１３０４）の設置を通して制御する。（２）電流測定装置（１３０５）の設置を通して制御する。（３）電圧測定装置（１３０４）及び電流測定装置（１３０５）の設置を通して制御する。（４）回路を通して分圧負荷に対して固定された分流制御を行う。（５）人力によりインタフェース装置を操作し、分圧負荷の分流制御を行う。（６）外部から信号を入力し、分圧負荷の分流制御を行う。
【０１５５】
電圧測定装置（１３０４）と電流測定装置（１３０５）とのいずれか一つ以上を設置し、直流電子制御ユニット（１３０３）は分流制御を行う。
【０１５６】
電圧測定装置（１３０４）は、電気機械式及び／または固相電子式素子により構成される電圧測定装置であり、電源電圧、主負荷（１３０１）両端の電圧、直流電子制御ユニット（１３０３）両端の電圧、および主負荷（１３０１）と直流電子制御ユニット（１３０３）とを直列に接続する総負荷の両端の電圧値のいずれかを測定することにより、直流電子制御ユニット（１３０３）によって下記の制御を行う。
【０１５７】
電圧測定装置（１３０４）により測定した電圧が予定値より低いとき、直流電子制御ユニット（１３０３）は分流制御を行うことにより、主負荷（１３０１）を通過する電流を増加させる。
電圧測定装置（１３０４）により測定した電圧が予定値より高いとき、直流電子制御ユニット（１３０３）は分流制御を行うことにより、主負荷（１３０１）を通過する電流を減少させる。
【０１５８】
電流測定装置（１３０５）は、電気機械式及び／または固相電子式素子により構成される電流測定装置であり、主負荷（１３０１）、インダクタを直列接続するＬＥＤの分圧抵抗素子（１３０２）、および直流電子制御ユニット（１３０３）の中のワンウェイまたはワンウェイ以上を通過する電流値を測定することにより、直流電子制御ユニット（１３０３）によって下記の制御を行う。
【０１５９】
電流測定装置（１３０５）によって測定した電流が予定値より低いとき、直流電子制御ユニット（１３０３）は分流制御を行うことにより、主負荷（１３０１）を通過する電流を増加させる。
電流測定装置（１３０５）によって測定した電流が予定値より高いとき、直流電子制御ユニット（１３０３）は分流制御を行うことにより、主負荷（１３０１）を通過する電流を減少させる。
【０１６０】
（第十三実施形態）
図１４に示すように、第十三実施形態による電流制御および駆動回路は、等価インピーダンス（１４００）、直流電源に駆動される主負荷（１４０１）、分圧抵抗素子（１４０２）、直流電子制御ユニット（１４０３）、電圧測定装置（１４０４）、電流測定装置（１４０５）、フライホイールダイオード（１４０６）、および主負荷（１４０１）と直列に接続される隔離ダイオード（１４０７）を備える。
【０１６１】
等価インピーダンス（１４００）は、主負荷（１４０１）と直列に接続され、誘導性インピーダンスを持つインダクタやコイルにより構成され、またはキャパシタを持つインダクタやコイルを並列接続し、通過するリップル電流周波数が並列共振状態である抵抗装置により構成される。上述装置を通して、等価インピーダンス（１４００）を通過する電流のリップル値を下げる。第十三実施形態において、等価インピーダンス（１４００）はニーズによって、設置または設置されないことを選択することができる。
【０１６２】
主負荷（１４０１）は、直流またはパルスＤＣ電源により駆動される主負荷であり、電気エネルギーを光エネルギーに変換する主負荷、電気エネルギーを熱エネルギーに変換する主負荷、電気エネルギーを機械エネルギーに変換する主負荷、電気エネルギーを化学エネルギーに変換する主負荷、電気エネルギーをサウンドエネルギーに変換する主負荷のいずれか一つ以上である。
【０１６３】
分圧抵抗素子（１４０２）は、一個以上の直流、またはパルスＤＣ電源の誘導性インピーダンス素子（１４０２１）と抵抗（１４０２２）とＬＥＤ（１４０２３）とを直列に接続することにより構成され、隔離ダイオード（１４０７）と主負荷（１４０１）とに順極性直列に接続され、隔離ダイオード（１４０７）と直列に接続された後の両端が直流電子制御ユニット（１４０３）と並列に接続される。直流電子制御ユニット（１４０３）は、分圧抵抗素子（１４０２）を通過する電流を受け、分流制御を行う。
【０１６４】
フライホイールダイオード（１４０６）は、ダイオードまたは高速ダイオードにより構成され、分圧抵抗素子（１４０２）と逆極性並列に接続される。
【０１６５】
隔離ダイオード（１４０７）は、ダイオードまたは高速ダイオードにより構成され、分圧抵抗素子（１４０２）に順極性直列に接続される。
【０１６６】
直流電子制御ユニット（１４０３）は、電気機械式オン／オフ装置、固相半導体式オン／オフ装置、または固相半導体式線形抵抗変換器により構成される。直流電源を用いて遮断制御を行うとき、直流電子制御ユニット（１４０３）を稼動して変動する遮断周波数の分流制御、遮断導通時間比のＰＷＭの分流制御、同時に変動する遮断周波数及び遮断導通時間比のＰＷＭの分流制御、直流電子制御ユニット（１４０３）のオン／オフ式導通または遮断する分流制御、または直流電子制御ユニット（１４０３）の線形抵抗値を制御することにより、直流電子制御ユニット（１４０３）は分圧抵抗素子（１４０２）の電流の分流制御を行う。
【０１６７】
第十三実施形態による電流制御および駆動回路の直流電子制御ユニット（１４０３）が分流制御する方式は、下記のいずれか一つ以上である。
（１）電圧測定装置（１４０４）の設置を通して制御する。（２）電流測定装置（１４０５）の設置を通して制御する。（３）電圧測定装置（１４０４）及び電流測定装置（１４０５）の設置を通して制御する。（４）回路を通して分圧負荷に対して固定された分流制御を行う。（５）人力によりインタフェース装置を操作し、分圧負荷の分流制御を行う。（６）外部から信号を入力し、分圧負荷の分流制御を行う。
【０１６８】
電圧測定装置（１４０４）と電流測定装置（１４０５）とのいずれか一つ以上を設置し、直流電子制御ユニット（１４０３）は分流制御を行う。
【０１６９】
電圧測定装置（１４０４）は、電気機械式及び／または固相電子式素子により構成される電圧測定装置であり、電源電圧、主負荷（１４０１）両端の電圧、直流電子制御ユニット（１４０３）両端の電圧、および主負荷（１４０１）と直流電子制御ユニット（１４０３）とを直列に接続する総負荷の両端の電圧値のいずれかを測定することにより、直流電子制御ユニット（１４０３）によって下記の制御を行う。
【０１７０】
電圧測定装置（１４０４）により測定した電圧が予定値より低いとき、直流電子制御ユニット（１４０３）は分流制御を行うことによる、主負荷（１４０１）を通過する電流を増加させる。
電圧測定装置（１４０４）により測定した電圧が予定値より高いとき、直流電子制御ユニット（１４０３）は分流制御を行うことにより、主負荷（１４０１）を通過する電流を減少させる。
【０１７１】
電流測定装置（１４０５）は、電気機械式及び／または固相電子式素子により構成される電流測定装置であり、主負荷（１４０１）、インダクタを直列接続する抵抗及びＬＥＤを直列接続する分圧抵抗素子（１４０２）、および直流電子制御ユニット（１４０３）の中のワンウェイまたはワンウェイ以上を通過する電流値を測定することにより、直流電子制御ユニット（１４０３）によって下記の制御を行う。
【０１７２】
電流測定装置（１４０５）によって測定した電流が予定値より低いとき、直流電子制御ユニット（１４０３）は分流制御を行うことにより、主負荷（１４０１）を通過する電流を増加させる。
電流測定装置（１４０５）によって測定した電流が予定値より高いとき、直流電子制御ユニット（１４０３）は分流制御を行うことにより、主負荷（１４０１）を通過する電流を減少させる。
【符号の説明】
【０１７３】
（１００）、（２００）、（３００）、（４００）、（５００）、（６００）、（７００）、（８００）、（９００）、（１０００）、（１１００）、（１２００）、（１３００）、（１４００）：等価インピーダンス
（１０１）、（１００１）、（１１０１）、（１２０１）、（１３０１）、（１４０１）：主負荷
（１０２）：分圧負荷
（１０３）、（６０３）、（９０３）、（１００３）：電気エネルギー制御装置
（１０４）、（４０４）、（６０４）、（９０４）、（１００４）、（１１０４）、（１２０４）、（１３０４）、（１４０４）：電圧測定装置
（１０５）、（４０５）、（６０５）、（９０５）、（１００５）、（１１０５）、（１２０５）、（１３０５）、（１４０５）：電流測定装置
（２０１）、（７０１）：直流主負荷
（２０２）：直流分圧負荷
（２０３）、（４０３）、（７０３）、（１１０３）、（１２０３）、（１３０３）、（１４０３）：直流電子制御ユニット
（２０４）、（７０４）：直流電圧測定装置
（２０５）、（７０５）：直流電流測定装置
（３０１）、（８０１）：交流主負荷
（３０２）：交流分圧負荷
（３０３）、（５０３）、（８０３）：交流電子制御ユニット
（３０４）、（５０４）、（８０４）：交流電圧測定装置
（３０５）、（５０５）、（８０５）：交流電流測定装置
（４０１）：主発光ダイオード（ＬＥＤ）
（４０２）：分圧発光ダイオード（ＬＥＤ）
（５０１）：主交流発光ダイオード（ＬＥＤ）
（５０２）：分圧交流発光ダイオード（ＬＥＤ）
（６０１）：電熱主負荷
（６０２）：分圧電熱負荷
（７０２）：分圧ツェナーダイオード
（８０２）：分圧二方向ツェナーダイオード
（９０１）：交流直流両用の主負荷
（９０２）：整流ダイオード
（１００２）：分圧抵抗
（１１０６）、（１２０６）、（１３０６）、（１４０６）：フライホイールダイオード
（１２０２１）、（１３０２１）、（１４０２１）：誘導性インピーダンス素子
（１２０２２）、（１４０２２）：抵抗
（１３０２３）、（１４０２３）：ＬＥＤ
（１１０７）、（１２０７）、（１３０７）、（１４０７）：隔離ダイオード
（１１０２）：誘導性分圧抵抗素子
（１２０２）：誘導性分圧抵抗素子
（１３０２）：分圧抵抗素子
（１４０２）：分圧抵抗素子
【図１】
0003168200.tif 000003
【図２】
0003168200.tif 000004
【図３】
0003168200.tif 000005
【図４】
0003168200.tif 000006
【図５】
0003168200.tif 000007
【図６】
0003168200.tif 000008
【図７】
0003168200.tif 000009
【図８】
0003168200.tif 000010
【図９】
0003168200.tif 000011
【図１０】
0003168200.tif 000012
【図１１】
0003168200.tif 000013
【図１２】
0003168200.tif 000014
【図１３】
0003168200.tif 000015
【図１４】
0003168200.tif 000016